(57)【要約】  本願の実施形態が、通信技術の分野に関し、端末のサービスフローパケットの伝送信頼性を向上させるために、伝送方法及び伝送装置を提供する。本方法は、セッション管理ネットワークエレメントがトランスポートネットワーク機能リスト情報を取得する段階であって、トランスポートネットワーク機能リスト情報は、トランスポートネットワークが高信頼性伝送をサポートするかどうかを示し、トランスポートネットワークはアクセスデバイスとユーザプレーンネットワークエレメントとの間のネットワークである、段階と、トランスポートネットワーク機能リスト情報に基づいて、アクセスデバイスとユーザプレーンネットワークエレメントとの間の、端末のユーザプレーン接続をセッション管理ネットワークエレメントが管理する段階であって、ユーザプレーン接続は端末のサービスフローパケットを伝送するのに用いることができる、段階とを含む。
2021517376.tif 000002
【特許請求の範囲】
【請求項１】
伝送方法であって、
セッション管理ネットワークエレメントがトランスポートネットワーク機能リスト情報を取得する段階であって、前記トランスポートネットワーク機能リスト情報は、トランスポートネットワークが高信頼性伝送をサポートするかどうかを示し、前記トランスポートネットワークは、アクセスデバイスとユーザプレーンネットワークエレメントとの間のネットワークである、段階と、
前記セッション管理ネットワークエレメントが、前記アクセスデバイスと前記ユーザプレーンネットワークエレメントとの間の、端末のユーザプレーン接続を、前記トランスポートネットワーク機能リスト情報に基づいて管理する段階であって、前記ユーザプレーン接続は、前記端末のサービスフローパケットを伝送するのに用いることができる、段階と
を含む方法。
【請求項２】
前記方法はさらに、
前記セッション管理ネットワークエレメントが、前記アクセスデバイスのプロトコル機能指示情報と前記ユーザプレーンネットワークエレメントのプロトコル機能指示情報とを取得する段階であって、前記アクセスデバイスの前記プロトコル機能指示情報は、前記アクセスデバイスが汎用パケット無線サービスのトンネリングプロトコル−ユーザプレーンＧＴＰ−Ｕプロトコル拡張をサポートするかどうか、また前記ユーザプレーンネットワークエレメントが前記ＧＴＰ−Ｕプロトコル拡張をサポートするかどうかを示す、段階を含み、
前記セッション管理ネットワークエレメントが、前記アクセスデバイスと前記ユーザプレーンネットワークエレメントとの間の、端末のユーザプレーン接続を、前記トランスポートネットワーク機能リスト情報に基づいて管理する前記段階は具体的には、
前記セッション管理ネットワークエレメントが、前記アクセスデバイスの前記プロトコル機能指示情報と、前記ユーザプレーンネットワークエレメントの前記プロトコル機能指示情報と、前記トランスポートネットワーク機能リスト情報とに基づいて、前記ユーザプレーン接続を管理する段階を有する、請求項１に記載の方法。
【請求項３】
前記セッション管理ネットワークエレメントが、前記ユーザプレーンネットワークエレメントのプロトコル機能指示情報を取得する前記段階は、
前記セッション管理ネットワークエレメントが、前記ユーザプレーンネットワークエレメントの前記プロトコル機能指示情報を前記ユーザプレーンネットワークエレメントから取得する段階、又は、
前記セッション管理ネットワークエレメントが、前記ユーザプレーンネットワークエレメントの前記プロトコル機能指示情報をネットワークレポジトリ機能ＮＲＦから取得する段階
を有する、請求項２に記載の方法。
【請求項４】
前記セッション管理ネットワークエレメントが、前記アクセスデバイスの前記プロトコル機能指示情報と、前記ユーザプレーンネットワークエレメントの前記プロトコル機能指示情報と、前記トランスポートネットワーク機能リスト情報とに基づいて、前記ユーザプレーン接続を管理する前記段階は、
前記アクセスデバイス及び前記ユーザプレーンネットワークエレメントが両方とも前記ＧＴＰ−Ｕプロトコル拡張をサポートする場合、前記セッション管理ネットワークエレメントが、前記アクセスデバイスと前記ユーザプレーンネットワークエレメントとの間に、前記ユーザプレーン接続として機能する少なくとも２つのＮ３トンネルを確立する段階を有する、請求項２又は３に記載の方法。
【請求項５】
前記セッション管理ネットワークエレメントが、前記アクセスデバイスの前記プロトコル機能指示情報と、前記ユーザプレーンネットワークエレメントの前記プロトコル機能指示情報と、前記トランスポートネットワーク機能リスト情報とに基づいて、前記ユーザプレーン接続を管理する前記段階は、
前記トランスポートネットワークが前記高信頼性伝送をサポートする場合、前記セッション管理ネットワークエレメントが、前記アクセスデバイスと前記ユーザプレーンネットワークエレメントとの間に、前記ユーザプレーン接続として機能する１つのＮ３トンネルを確立する段階を有する、請求項２又は３に記載の方法。
【請求項６】
前記セッション管理ネットワークエレメントが、前記アクセスデバイスの前記プロトコル機能指示情報と、前記ユーザプレーンネットワークエレメントの前記プロトコル機能指示情報と、前記トランスポートネットワーク機能リスト情報とに基づいて、前記ユーザプレーン接続を管理する前記段階は、
前記トランスポートネットワークが前記高信頼性伝送をサポートし、且つ前記アクセスデバイス及び前記ユーザプレーンネットワークエレメントが両方とも前記ＧＴＰ−Ｕプロトコル拡張をサポートする場合、前記セッション管理ネットワークエレメントが、ポリシー情報に基づいて、前記アクセスデバイスと前記ユーザプレーンネットワークエレメントとの間に、前記ユーザプレーン接続として機能する少なくとも２つのＮ３トンネル又は１つのＮ３トンネルを確立すると決定する段階を有する、請求項２又は３に記載の方法。
【請求項７】
前記方法はさらに、
前記セッション管理ネットワークエレメントが前記端末の位置情報を取得する段階と、
前記セッション管理ネットワークエレメントが、前記端末の前記位置情報と前記トランスポートネットワーク機能リスト情報とに基づいて、前記トランスポートネットワークの前記高信頼性伝送をサポートするユーザプレーンネットワークエレメントを前記トランスポートネットワークリスト情報から選択する段階と
を含む、請求項１に記載の方法。
【請求項８】
前記方法はさらに、
前記セッション管理ネットワークエレメントが前記アクセスデバイスのプロトコル機能指示情報を取得する段階と、
前記セッション管理ネットワークエレメントが、前記アクセスデバイスの前記プロトコル機能指示情報と前記トランスポートネットワーク機能リスト情報とに基づいて、前記ユーザプレーンネットワークエレメントを決定する段階と
を含む、請求項７に記載の方法。
【請求項９】
前記セッション管理ネットワークエレメントが、前記アクセスデバイスの前記プロトコル機能指示情報と前記トランスポートネットワーク機能リスト情報とに基づいて、前記ユーザプレーンネットワークエレメントを決定する前記段階は、
前記トランスポートネットワークの前記高信頼性伝送をサポートするユーザプレーンネットワークエレメントが１つもなく、且つ前記アクセスデバイスがＧＴＰ−Ｕプロトコル拡張をサポートすることを、前記トランスポートネットワーク機能リスト情報が示す場合、前記ＧＴＰ−Ｕプロトコル拡張をサポートするユーザプレーンネットワークエレメントが前記ユーザプレーンネットワークエレメントであると前記セッション管理ネットワークエレメントが決定する段階を有する、請求項８に記載の方法。
【請求項１０】
前記方法はさらに、
前記トランスポートネットワークが前記高信頼性伝送をサポートせず、且つ前記アクセスデバイス及び前記ユーザプレーンネットワークエレメントのうちのいずれか一方又は両方が前記ＧＴＰ−Ｕプロトコル拡張をサポートしないことを、前記トランスポートネットワーク機能リスト情報が示す場合、前記セッション管理ネットワークエレメントが、前記ユーザプレーン接続の確立を拒否することを示す指示情報を前記アクセスデバイスに送信する段階を含む、請求項２、７、又は８に記載の方法。
【請求項１１】
前記セッション管理ネットワークエレメントが前記アクセスデバイスのプロトコル機能指示情報を取得する前記段階は、
前記セッション管理ネットワークエレメントが、前記アクセスデバイスの前記プロトコル機能指示情報をモビリティ管理ネットワークエレメントから受信する段階、又は、
前記セッション管理ネットワークエレメントが機能取得要求メッセージを前記アクセスデバイスに送信する段階であって、前記機能取得要求メッセージは前記アクセスデバイスの前記プロトコル機能指示情報を要求する、段階、又は、
前記セッション管理ネットワークエレメントが、前記アクセスデバイスの前記プロトコル機能指示情報を前記ユーザプレーンネットワークエレメントから取得する段階
を含む、請求項２から８のいずれか一項に記載の方法。
【請求項１２】
セッション管理ネットワークエレメントがトランスポートネットワーク機能リスト情報を取得する前記段階は、
前記トランスポートネットワーク機能リスト情報を前記セッション管理ネットワークエレメントに事前設定する段階、又は、
前記セッション管理ネットワークエレメントが、前記トランスポートネットワーク機能リスト情報を前記ＮＲＦ又は前記ユーザプレーンネットワークエレメントから取得する段階
を有する、請求項１から１１のいずれか一項に記載の方法。
【請求項１３】
前記アクセスデバイス及び前記ユーザプレーンネットワークエレメントが両方とも前記ＧＴＰ−Ｕプロトコル拡張をサポートする場合、前記方法はさらに、
前記セッション管理ネットワークエレメントが、前記アクセスデバイス及び前記ユーザプレーンネットワークエレメントに第１の指示を送信する段階であって、前記第１の指示は、前記アクセスデバイスが前記サービスフローパケットをＧＴＰ−Ｕ層で複製することを示し、且つ前記ユーザプレーンネットワークエレメントが前記ＧＴＰ−Ｕ層で前記サービスフローパケットに対して複製検出を行うことを示す、又は前記第１の指示は、前記ユーザプレーンネットワークエレメントが前記サービスフローパケットを前記ＧＴＰ−Ｕ層で複製することを示し、且つ前記アクセスデバイスが前記ＧＴＰ−Ｕ層で前記サービスフローパケットに対して複製検出を行うことを示す、段階を含む、請求項１から１２のいずれか一項に記載の方法。
【請求項１４】
伝送装置であって、
トランスポートネットワーク機能リスト情報を取得するように構成された通信ユニットであって、前記トランスポートネットワーク機能リスト情報は、トランスポートネットワークが高信頼性伝送をサポートするかどうかを示し、前記トランスポートネットワークは、アクセスデバイスとユーザプレーンネットワークエレメントとの間のネットワークである、通信ユニットと、
前記アクセスデバイスと前記ユーザプレーンネットワークエレメントとの間の、端末のユーザプレーン接続を、前記トランスポートネットワーク機能リスト情報に基づいて管理するように構成された処理ユニットであって、前記ユーザプレーン接続は前記端末のサービスフローパケットを伝送するのに用いることができる、処理ユニットと
を備える装置。
【請求項１５】
前記通信ユニットはさらに、前記アクセスデバイスのプロトコル機能指示情報と前記ユーザプレーンネットワークエレメントのプロトコル機能指示情報とを取得するように構成され、前記アクセスデバイスの前記プロトコル機能指示情報は、前記アクセスデバイスが汎用パケット無線サービスのトンネリングプロトコル−ユーザプレーンＧＴＰ−Ｕプロトコル拡張をサポートするかどうか、また前記ユーザプレーンネットワークエレメントが前記ＧＴＰ−Ｕプロトコル拡張をサポートするかどうかを示し、
前記処理ユニットは具体的には、前記アクセスデバイスの前記プロトコル機能指示情報と、前記ユーザプレーンネットワークエレメントの前記プロトコル機能指示情報と、前記トランスポートネットワーク機能リスト情報とに基づいて、前記ユーザプレーン接続を管理するように構成される、請求項１４に記載の装置。
【請求項１６】
前記通信ユニットはさらに、具体的には、前記ユーザプレーンネットワークエレメントの前記プロトコル機能指示情報を前記ユーザプレーンネットワークエレメントから取得するように構成されるか、又は、
前記通信ユニットはさらに、具体的には、前記ユーザプレーンネットワークエレメントの前記プロトコル機能指示情報をネットワークレポジトリ機能ＮＲＦから取得するように構成される、請求項１５に記載の装置。
【請求項１７】
前記アクセスデバイス及び前記ユーザプレーンネットワークエレメントが両方とも前記ＧＴＰ−Ｕプロトコル拡張をサポートする場合、前記処理ユニットは具体的には、前記アクセスデバイスと前記ユーザプレーンネットワークエレメントとの間に、前記ユーザプレーン接続として機能する少なくとも２つのＮ３トンネルを確立するように構成される、請求項１５又は１６に記載の装置。
【請求項１８】
前記トランスポートネットワークが前記高信頼性伝送をサポートする場合、前記処理ユニットは具体的には、前記アクセスデバイスと前記ユーザプレーンネットワークエレメントとの間に、前記ユーザプレーン接続として機能する１つのＮ３トンネルを確立するように構成される、請求項１５又は１６に記載の装置。
【請求項１９】
前記トランスポートネットワークが前記高信頼性伝送をサポートし、且つ前記アクセスデバイス及び前記ユーザプレーンネットワークエレメントが両方とも前記ＧＴＰ−Ｕプロトコル拡張をサポートする場合、前記処理ユニットは具体的には、ポリシー情報に基づいて、前記アクセスデバイスと前記ユーザプレーンネットワークエレメントとの間に、前記ユーザプレーン接続として機能する少なくとも２つのＮ３トンネル又は１つのＮ３トンネルを確立すると決定するように構成される、請求項１５又は１６に記載の装置。
【請求項２０】
前記通信ユニットはさらに、前記端末の位置情報を取得するように構成され、
前記処理ユニットはさらに、前記端末の前記位置情報と前記トランスポートネットワーク機能リスト情報とに基づいて、前記トランスポートネットワークの前記高信頼性伝送をサポートするユーザプレーンネットワークエレメントを前記トランスポートネットワークリスト情報から選択するように構成される、請求項１４に記載の装置。
【請求項２１】
前記通信ユニットはさらに、前記アクセスデバイスのプロトコル機能指示情報を取得するように構成され、
前記処理ユニットはさらに、前記アクセスデバイスの前記プロトコル機能指示情報と前記トランスポートネットワーク機能リスト情報とに基づいて、前記ユーザプレーンネットワークエレメントを決定するように構成される、請求項２０に記載の装置。
【請求項２２】
前記トランスポートネットワークの前記高信頼性伝送をサポートするユーザプレーンネットワークエレメントが１つもなく、且つ前記アクセスデバイスがＧＴＰ−Ｕプロトコル拡張をサポートすることを、前記トランスポートネットワーク機能リスト情報が示す場合、前記処理ユニットはさらに、具体的には、前記ＧＴＰ−Ｕプロトコル拡張をサポートするユーザプレーンネットワークエレメントが前記ユーザプレーンネットワークエレメントであると決定するように構成される、請求項２１に記載の装置。
【請求項２３】
前記トランスポートネットワークが前記高信頼性伝送をサポートせず、且つ前記アクセスデバイス及び前記ユーザプレーンネットワークエレメントのうちのいずれか一方又は両方が前記ＧＴＰ−Ｕプロトコル拡張をサポートしないことを、前記トランスポートネットワーク機能リスト情報が示す場合、前記通信ユニットはさらに、前記ユーザプレーン接続の確立を拒否することを示す指示情報を前記アクセスデバイスに送信するように構成される、請求項１５、２０、又は２１に記載の装置。
【請求項２４】
前記通信ユニットはさらに、具体的には、前記アクセスデバイスの前記プロトコル機能指示情報をモビリティ管理ネットワークエレメントから受信するように構成される、又は、
前記通信ユニットはさらに、具体的には、機能取得要求メッセージを前記アクセスデバイスに送信するように構成され、前記機能取得要求メッセージは前記アクセスデバイスの前記プロトコル機能指示情報を要求する、又は、
前記通信ユニットはさらに、具体的には、前記アクセスデバイスの前記プロトコル機能指示情報を前記ユーザプレーンネットワークエレメントから取得するように構成される、請求項１５から２１のいずれか一項に記載の装置。
【請求項２５】
前記トランスポートネットワーク機能リスト情報は前記伝送装置に事前設定される、又は、
前記通信ユニットは具体的には、前記トランスポートネットワーク機能リスト情報を前記ＮＲＦ又は前記ユーザプレーンネットワークエレメントから取得するように構成される、請求項１４から２４のいずれか一項に記載の装置。
【請求項２６】
前記アクセスデバイス及び前記ユーザプレーンネットワークエレメントが両方とも前記ＧＴＰ−Ｕプロトコル拡張をサポートする場合、前記通信ユニットはさらに、前記アクセスデバイス及び前記ユーザプレーンネットワークエレメントに第１の指示を送信するように構成され、前記第１の指示は、前記アクセスデバイスが前記サービスフローパケットをＧＴＰ−Ｕ層で複製することを示し、且つ前記ユーザプレーンネットワークエレメントが前記ＧＴＰ−Ｕ層で前記サービスフローパケットに対して複製検出を行うことを示す、又は前記第１の指示は、前記ユーザプレーンネットワークエレメントが前記サービスフローパケットを前記ＧＴＰ−Ｕ層で複製することを示し、且つ前記アクセスデバイスが前記ＧＴＰ−Ｕ層で前記サービスフローパケットに対して複製検出を行うことを示す、請求項１４から２５のいずれか一項に記載の装置。
【請求項２７】
少なくとも１つのプロセッサと通信インタフェースとを備えるチップであって、前記通信インタフェースは前記少なくとも１つのプロセッサに連結され、前記少なくとも１つのプロセッサは、コンピュータプログラム又は命令を実行して、請求項１から１３のいずれか一項に記載の伝送方法を実施するように構成され、前記通信インタフェースは前記チップを除く別のモジュールと通信するように構成される、チップ。
【請求項２８】
プロセッサと通信インタフェースとを備える伝送装置であって、
前記通信インタフェースは、請求項１から１３のいずれか一項に記載の伝送方法におけるセッション管理ネットワークエレメントにおいてメッセージ送信／受信オペレーションを行うように構成され、前記プロセッサは、請求項１から１３のいずれか一項に記載の伝送方法における前記セッション管理ネットワークエレメントにおいて処理オペレーション又は制御オペレーションを行う命令を実行する、伝送装置。
【請求項２９】
コンピュータ可読記憶媒体であって、前記コンピュータ可読記憶媒体は命令を格納し、前記命令が実行されると、請求項１から１３のいずれか一項に記載の伝送方法が実施される、コンピュータ可読記憶媒体。
【発明の詳細な説明】
【技術分野】
【０００１】
本願は、２０１９年２月１９日に中国国家知識産権局に出願した「伝送方法及び伝送装置（ＴＲＡＮＳＭＩＳＳＩＯＮ  ＭＥＴＨＯＤ  ＡＮＤ  ＡＰＰＡＲＡＴＵＳ）」と題する中国特許出願第２０１９１０１２３３０２．０号に基づく優先権を主張し、当該中国特許出願は参照によりその全体が本明細書に組み込まれる。本願の実施形態は、通信技術の分野に関し、具体的には伝送方法及び伝送装置に関する。
【背景技術】
【０００２】
第５世代（５−Ｇｅｎｅｒａｔｉｏｎ、５Ｇ）移動体通信技術については、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）組織が超高信頼低遅延通信（ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ、ＵＲＬＬＣ）シナリオを定めている。ＵＲＬＬＣの特徴は、高信頼性、低遅延、及び非常に高い可用性である。ＵＲＬＬＣには、以下に挙げるシナリオ及び用途が含まれる。すなわち、産業用途及び管理、交通安全及び管理、遠隔生産、遠隔トレーニング、及び遠隔手術などである。３ＧＰＰのＴＲ３８．９１３では、ＵＲＬＬＣの遅延及び信頼性に関する指標を定めている。遅延：ＵＲＬＬＣサービスの場合、ユーザプレーンのアップリンク遅延目標及びダウンリンク遅延目標は、０．５ミリ秒である。信頼性：指定された遅延の範囲内で、Ｘバイトのデータパケットを伝送する際の成功率と定義されている。通常、ＵＲＬＬＣサービスの１回の伝送に対する信頼性要件は次の通りである。すなわち、１ミリ秒のユーザプレーン遅延内で、３２バイトのパケットを伝送する際の信頼性が、１〜１０−５である。
【０００３】
したがって、端末と５Ｇコアネットワークとの間でＵＲＬＬＣサービスの高信頼伝送をどのように実現するかが、現在解決すべき緊急課題である。
【発明の概要】
【０００４】
本願の実施形態が、端末のサービスフローパケットの伝送信頼性を向上させるために、伝送方法及び伝送装置を提供する。
【０００５】
前述の目的を実現するために、本願の実施形態は以下に挙げる技術的解決手段を提供する。
【０００６】
第１態様によれば、本願の一実施形態が伝送方法を提供する。本方法は、セッション管理ネットワークエレメントがトランスポートネットワーク機能リスト情報を取得する段階であって、トランスポートネットワーク機能リスト情報は、トランスポートネットワークが高信頼性伝送をサポートするかどうかを示し、トランスポートネットワークはアクセスデバイスとユーザプレーンネットワークエレメントとの間のネットワークである、段階と、トランスポートネットワーク機能リスト情報に基づいて、アクセスデバイスとユーザプレーンネットワークエレメントとの間の、端末のユーザプレーン接続をセッション管理ネットワークエレメントが管理する段階であって、ユーザプレーン接続は端末のサービスフローパケットを伝送するのに用いることができる、段階とを含む。
【０００７】
アクセスデバイスとユーザプレーンネットワークエレメントとの間の、端末のユーザプレーン接続をどのように管理するかは、先行技術では決まっていない。本願の本実施形態で提供される伝送方法において、セッション管理ネットワークエレメントは、トランスポートネットワーク機能リスト情報を取得する。トランスポートネットワーク機能リスト情報は、トランスポートネットワークが高信頼性伝送をサポートするかどうかを示し、トランスポートネットワークはアクセスデバイスとユーザプレーンネットワークエレメントとの間のネットワークであるため、セッション管理ネットワークエレメントは、トランスポートネットワークが高信頼性伝送をサポートするかどうかを判定できるようになり、さらにユーザプレーン接続をどのように管理するかを決定することができるようになる。このように、端末のサービスフローパケットは確実に伝送され得る。
【０００８】
実現可能な実施例において、本願の本実施形態で提供される方法はさらに、アクセスデバイスのプロトコル機能指示情報とユーザプレーンネットワークエレメントのプロトコル機能指示情報とをセッション管理ネットワークエレメントが取得する段階を含み、アクセスデバイスのプロトコル機能指示情報は、アクセスデバイスが汎用パケット無線サービスのトンネリングプロトコル−ユーザプレーンＧＴＰ−Ｕプロトコル拡張をサポートするかどうか、またユーザプレーンネットワークエレメントがＧＴＰ−Ｕプロトコル拡張をサポートするかどうかを示す。トランスポートネットワーク機能リスト情報に基づいて、アクセスデバイスとユーザプレーンネットワークエレメントとの間の、端末のユーザプレーン接続をセッション管理ネットワークエレメントが管理する段階は具体的には、アクセスデバイスのプロトコル機能指示情報と、ユーザプレーンネットワークエレメントのプロトコル機能指示情報と、トランスポートネットワーク機能リスト情報とに基づいて、セッション管理ネットワークエレメントがユーザプレーン接続を管理する段階を含む。これにより、アクセスデバイスのプロトコル機能指示情報と、ユーザプレーンネットワークエレメントのプロトコル機能指示情報と、トランスポートネットワーク機能リスト情報とを参照して、セッション管理ネットワークエレメントがユーザプレーン接続を管理できるようになる。
【０００９】
実現可能な実施例において、セッション管理ネットワークエレメントがユーザプレーンネットワークエレメントのプロトコル機能指示情報を取得する段階は、セッション管理ネットワークエレメントがユーザプレーンネットワークエレメントのプロトコル機能指示情報をユーザプレーンネットワークエレメントから取得する段階、又はセッション管理ネットワークエレメントがユーザプレーンネットワークエレメントのプロトコル機能指示情報をネットワークレポジトリ機能ＮＲＦから取得する段階を含む。
【００１０】
実現可能な実施例において、アクセスデバイスのプロトコル機能指示情報と、ユーザプレーンネットワークエレメントのプロトコル機能指示情報と、トランスポートネットワーク機能リスト情報とに基づいて、セッション管理ネットワークエレメントがユーザプレーン接続を管理する段階は、アクセスデバイス及びユーザプレーンネットワークエレメントが両方ともＧＴＰ−Ｕプロトコル拡張をサポートする場合、セッション管理ネットワークエレメントが、アクセスデバイスとユーザプレーンネットワークエレメントとの間に、ユーザプレーン接続として機能する少なくとも２つのＮ３トンネルを確立する段階を含む。これにより、少なくとも２つのＮ３トンネルを用いて、サービスフローパケットを伝送できるようになる。
【００１１】
実現可能な実施例において、アクセスデバイスのプロトコル機能指示情報と、ユーザプレーンネットワークエレメントのプロトコル機能指示情報と、トランスポートネットワーク機能リスト情報とに基づいて、セッション管理ネットワークエレメントがユーザプレーン接続を管理する段階は、トランスポートネットワークが高信頼性伝送をサポートする場合、セッション管理ネットワークエレメントが、アクセスデバイスとユーザプレーンネットワークエレメントとの間に、ユーザプレーン接続として機能する１つのＮ３トンネルを確立する段階を含む。これにより、１つのＮ３トンネルをユーザプレーン接続として用いて、サービスフローパケットを伝送できるようになる。
【００１２】
実現可能な実施例において、アクセスデバイスのプロトコル機能指示情報と、ユーザプレーンネットワークエレメントのプロトコル機能指示情報と、トランスポートネットワーク機能リスト情報とに基づいて、セッション管理ネットワークエレメントがユーザプレーン接続を管理する段階は、トランスポートネットワークが高信頼性伝送をサポートし、且つアクセスデバイス及びユーザプレーンネットワークエレメントが両方ともＧＴＰ−Ｕプロトコル拡張をサポートする場合、セッション管理ネットワークエレメントがポリシー情報に基づいて、アクセスデバイスとユーザプレーンネットワークエレメントとの間に、ユーザプレーン接続として機能する少なくとも２つのＮ３トンネル又は１つのＮ３トンネルを確立すると決定する段階を含む。
【００１３】
実現可能な実施例において、本願の本実施形態で提供される方法はさらに、セッション管理ネットワークエレメントが端末の位置情報を取得する段階と、セッション管理ネットワークエレメントが、端末の位置情報とトランスポートネットワーク機能リスト情報とに基づいて、トランスポートネットワークの高信頼性伝送をサポートするユーザプレーンネットワークエレメントをトランスポートネットワークリスト情報から選択する段階とを含む。
【００１４】
実現可能な実施例において、本願の本実施形態で提供される方法はさらに、セッション管理ネットワークエレメントがアクセスデバイスのプロトコル機能指示情報を取得する段階と、アクセスデバイスのプロトコル機能指示情報とトランスポートネットワーク機能リスト情報とに基づいて、セッション管理ネットワークエレメントがユーザプレーンネットワークエレメントを決定する段階とを含む。
【００１５】
実現可能な実施例において、本願の本実施形態で提供される方法はさらに以下の段階を含む。すなわち、アクセスデバイスのプロトコル機能指示情報とトランスポートネットワーク機能リスト情報とに基づいて、セッション管理ネットワークエレメントがユーザプレーンネットワークエレメントを決定する段階は、トランスポートネットワークの高信頼性伝送をサポートするユーザプレーンネットワークエレメントが１つもなく、且つアクセスデバイスがＧＴＰ−Ｕプロトコル拡張をサポートすることをトランスポートネットワーク機能リスト情報が示す場合、ＧＴＰ−Ｕプロトコル拡張をサポートするユーザプレーンネットワークエレメントがユーザプレーンネットワークエレメントであると、セッション管理ネットワークエレメントが判定する段階を含むことを含む。
【００１６】
実現可能な実施例において、本願の本実施形態で提供される方法はさらに、トランスポートネットワークが高信頼性伝送をサポートせず、且つアクセスデバイス及びユーザプレーンネットワークエレメントのうちのいずれか一方又は両方がＧＴＰ−Ｕプロトコル拡張をサポートしないことをトランスポートネットワーク機能リスト情報が示す場合、ユーザプレーン接続の確立を拒否することを示す指示情報をセッション管理ネットワークエレメントがアクセスデバイスに送信する段階を含む。
【００１７】
実現可能な実施例において、本願の本実施形態で提供される方法はさらに以下の段階を含む。すなわち、セッション管理ネットワークエレメントがアクセスデバイスのプロトコル機能指示情報を取得する段階は、セッション管理ネットワークエレメントがアクセスデバイスのプロトコル機能指示情報をモビリティ管理ネットワークエレメントから受信する段階、又はセッション管理ネットワークエレメントが機能取得要求メッセージをアクセスデバイスに送信する段階であって、機能取得要求メッセージは、アクセスデバイスのプロトコル機能指示情報を要求する、段階、又はセッション管理ネットワークエレメントがアクセスデバイスのプロトコル機能指示情報をユーザプレーンネットワークエレメントから取得する段階を含む。
【００１８】
実現可能な実施例において、セッション管理ネットワークエレメントがトランスポートネットワーク機能リスト情報を取得する段階は、トランスポートネットワーク機能リスト情報をセッション管理ネットワークエレメントに事前設定する段階、又はセッション管理ネットワークエレメントがトランスポートネットワーク機能リスト情報をＮＲＦ若しくはユーザプレーンネットワークエレメントから取得する段階を含む。
【００１９】
実現可能な実施例において、アクセスデバイス及びユーザプレーンネットワークエレメントが両方ともＧＴＰ−Ｕプロトコル拡張をサポートする場合、本願の本実施形態で提供される方法はさらに、セッション管理ネットワークエレメントが第１の指示をアクセスデバイス及びユーザプレーンネットワークエレメントに送信する段階を含む。第１の指示はアクセスデバイスがＧＴＰ−Ｕ層でサービスフローパケットを複製することを示し、またユーザプレーンネットワークエレメントがＧＴＰ−Ｕ層でサービスフローパケットに対して複製検出を行うことを示す。又は第１の指示は、ユーザプレーンネットワークエレメントがＧＴＰ−Ｕ層でサービスフローパケットを複製することを示し、またアクセスデバイスがＧＴＰ−Ｕ層でサービスフローパケットに対して複製検出を行うことを示す。
【００２０】
第２態様によれば、本願の一実施形態が伝送装置を提供する。伝送装置は、セッション管理ネットワークエレメントでもよく、セッション管理ネットワークエレメント内のチップでもチップシステムでもよい。伝送装置は、処理ユニット及び通信ユニットを含んでよい。伝送装置がセッション管理ネットワークエレメントである場合、処理ユニットはプロセッサでよく、通信ユニットは通信インタフェースでもインタフェース回路でもよい。伝送装置はさらに記憶ユニットを含んでよく、記憶ユニットはメモリでよい。記憶ユニットは命令を格納するように構成され、処理ユニットは記憶ユニットに格納された命令を実行するので、セッション管理ネットワークエレメントは、第１態様又は第１態様の実現可能な実施例のうちのいずれか１つで説明した伝送方法を実施する。
【００２１】
例えば、伝送装置がセッション管理ネットワークエレメントである場合、通信ユニットは、トランスポートネットワーク機能リスト情報を取得するように構成される。トランスポートネットワーク機能リスト情報は、トランスポートネットワークが高信頼性伝送をサポートするかどうかを示し、トランスポートネットワークは、アクセスデバイスとユーザプレーンネットワークエレメントとの間のネットワークである。処理ユニットは、アクセスデバイスとユーザプレーンネットワークエレメントとの間の、端末のユーザプレーン接続を、トランスポートネットワーク機能リスト情報に基づいて管理するように構成され、ユーザプレーン接続は、端末のサービスフローパケットを伝送するのに用いることができる。
【００２２】
実現可能な実施例において、通信ユニットはさらに、アクセスデバイスのプロトコル機能指示情報とユーザプレーンネットワークエレメントのプロトコル機能指示情報とを取得するように構成され、アクセスデバイスのプロトコル機能指示情報は、アクセスデバイスが汎用パケット無線サービスのトンネリングプロトコル−ユーザプレーンＧＴＰ−Ｕプロトコル拡張をサポートするかどうか、またユーザプレーンネットワークエレメントがＧＴＰ−Ｕプロトコル拡張をサポートするかどうかを示す。処理ユニットは具体的には、アクセスデバイスのプロトコル機能指示情報と、ユーザプレーンネットワークエレメントのプロトコル機能指示情報と、トランスポートネットワーク機能リスト情報とに基づいて、ユーザプレーン接続を管理するように構成される。
【００２３】
実現可能な実施例において、通信ユニットは具体的にはさらに、ユーザプレーンネットワークエレメントのプロトコル機能指示情報をユーザプレーンネットワークエレメントから取得するように構成される。あるいは、通信ユニットは具体的にはさらに、ユーザプレーンネットワークエレメントのプロトコル機能指示情報をネットワークレポジトリ機能ＮＲＦから取得するように構成される。
【００２４】
実現可能な実施例において、アクセスデバイス及びユーザプレーンネットワークエレメントが両方ともＧＴＰ−Ｕプロトコル拡張をサポートする場合、処理ユニットは具体的には、アクセスデバイスとユーザプレーンネットワークエレメントとの間に、ユーザプレーン接続として機能する少なくとも２つのＮ３トンネルを確立するように構成される。
【００２５】
実現可能な実施例において、トランスポートネットワークが高信頼性伝送をサポートする場合、処理ユニットは具体的には、アクセスデバイスとユーザプレーンネットワークエレメントとの間に、ユーザプレーン接続として機能する１つのＮ３トンネルを確立するように構成される。
【００２６】
実現可能な実施例において、トランスポートネットワークが高信頼性伝送をサポートし、且つアクセスデバイス及びユーザプレーンネットワークエレメントが両方ともＧＴＰ−Ｕプロトコル拡張をサポートする場合、処理ユニットは具体的には、ポリシー情報に基づいて、アクセスデバイスとユーザプレーンネットワークエレメントとの間に、ユーザプレーン接続として機能する少なくとも２つのＮ３トンネル又は１つのＮ３トンネルを確立すると決定するように構成される。
【００２７】
実現可能な実施例において、通信ユニットはさらに、端末の位置情報を取得するように構成される。処理ユニットはさらに、端末の位置情報とトランスポートネットワーク機能リスト情報とに基づいて、トランスポートネットワークの高信頼性伝送をサポートするユーザプレーンネットワークエレメントをトランスポートネットワークリスト情報から選択するように構成される。
【００２８】
実現可能な実施例において、通信ユニットはさらに、アクセスデバイスのプロトコル機能指示情報を取得するように構成される。処理ユニットはさらに、アクセスデバイスのプロトコル機能指示情報とトランスポートネットワーク機能リスト情報とに基づいて、ユーザプレーンネットワークエレメントを決定するように構成される。
【００２９】
実現可能な実施例において、トランスポートネットワークの高信頼性伝送をサポートするユーザプレーンネットワークエレメントが１つもないこと、またアクセスデバイスがＧＴＰ−Ｕプロトコル拡張をサポートすることをトランスポートネットワーク機能リスト情報が示す場合、処理ユニットは具体的にはさらに、ＧＴＰ−Ｕプロトコル拡張をサポートするユーザプレーンネットワークエレメントがユーザプレーンネットワークエレメントであると判定するように構成される。
【００３０】
実現可能な実施例において、トランスポートネットワークが高信頼性伝送をサポートしないこと、且つアクセスデバイス及びユーザプレーンネットワークエレメントのうちのいずれか一方又は両方がＧＴＰ−Ｕプロトコル拡張をサポートしないことをトランスポートネットワーク機能リスト情報が示す場合、通信ユニットはさらに、ユーザプレーン接続の確立を拒否することを示す指示情報をアクセスデバイスに送信するように構成される。
【００３１】
実現可能な実施例において、通信ユニットは具体的にはさらに、アクセスデバイスのプロトコル機能指示情報をモビリティ管理ネットワークエレメントから受信するように構成される。
【００３２】
実現可能な実施例において、通信ユニットは具体的にはさらに、機能取得要求メッセージをアクセスデバイスに送信するように構成され、機能取得要求メッセージは、アクセスデバイスのプロトコル機能指示情報を要求する。
【００３３】
実現可能な実施例において、通信ユニットは具体的にはさらに、アクセスデバイスのプロトコル機能指示情報をユーザプレーンネットワークエレメントから取得するように構成される。
【００３４】
実現可能な実施例において、トランスポートネットワーク機能リスト情報は伝送装置に事前設定される、又は通信ユニットは具体的には、トランスポートネットワーク機能リスト情報をＮＲＦ若しくはユーザプレーンネットワークエレメントから取得するように構成される。
【００３５】
実現可能な実施例において、アクセスデバイス及びユーザプレーンネットワークエレメントが両方ともＧＴＰ−Ｕプロトコル拡張をサポートする場合、通信ユニットはさらに、第１の指示をアクセスデバイス及びユーザプレーンネットワークエレメントに送信するように構成される。第１の指示は、アクセスデバイスがＧＴＰ−Ｕ層でサービスフローパケットを複製することを示し、またユーザプレーンネットワークエレメントがＧＴＰ−Ｕ層でサービスフローパケットに対して複製検出を行うことを示す、又は第１の指示は、ユーザプレーンネットワークエレメントがＧＴＰ−Ｕ層でサービスフローパケットを複製することを示し、またアクセスデバイスがＧＴＰ−Ｕ層でサービスフローパケットに対して複製検出を行うことを示す。
【００３６】
例えば、伝送装置がセッション管理ネットワークエレメント内のチップ又はチップシステムである場合、処理ユニットはプロセッサでよく、通信ユニットは通信インタフェースでよい。例えば、通信インタフェースは入力／出力インタフェース、ピン、又は回路などでもよい。処理ユニットは、記憶ユニットに格納された命令を実行するので、セッション管理ネットワークエレメントは、第１態様又は第１態様の実現可能な実施例のうちのいずれか１つで説明された伝送方法を実施する。記憶ユニットは、チップ内の記憶ユニット（例えば、レジスタ又はキャッシュ）でもよく、セッション管理ネットワークエレメント内にあり且つチップの外側にある記憶ユニット（例えば、リードオンリメモリ又はランダムアクセスメモリ）でもよい。
【００３７】
第３態様によれば、本願の一実施形態がコンピュータ可読記憶媒体を提供する。コンピュータ可読記憶媒体は、コンピュータプログラム又は命令を格納する。コンピュータプログラム又は命令がコンピュータで実行されると、コンピュータは、第１態様又は第１態様の実現可能な実施例のうちのいずれか１つで説明された伝送方法の実行が可能になる。
【００３８】
第４態様によれば、本願の一実施形態が命令を含むコンピュータプログラム製品を提供する。命令がコンピュータで実行されると、コンピュータは、第１態様又は第１態様の実現可能な実施例で説明された伝送方法の実行が可能になる。
【００３９】
第５態様によれば、本願の一実施形態が伝送装置を提供する。伝送装置は、プロセッサと記憶媒体とを含む。記憶媒体は命令を格納する。命令がプロセッサによって実行されると、第１態様又は第１態様の実現可能な実施例で説明した伝送方法が実施される。
【００４０】
第６態様によると、本願はチップ又はチップシステムを提供する。チップ又はチップシステムは、少なくとも１つのプロセッサと通信インタフェースとを含む。通信インタフェースと少なくとも１つのプロセッサとは、通信線を用いて相互接続される。少なくとも１つのプロセッサは、コンピュータプログラム又は命令を実行して、第１態様又は第１態様の実現可能な実施例のうちのいずれか１つで説明したパラメータ方法を実行するように構成される。
【００４１】
第７態様によれば、本願の一実施形態が伝送方法を提供する。伝送方法は、アクセスデバイスが第１の指示情報をセッション管理ネットワークエレメントから受信する段階を含む。第１の指示情報は、アクセスデバイスとユーザプレーンネットワークエレメントとの間のユーザプレーン接続を管理することを示す。ユーザプレーン接続は、端末のサービスフローパケットを伝送するのに用いることができる。
【００４２】
実現可能な実施例において、第１の指示情報は、アクセスデバイスとユーザプレーンネットワークエレメントとの間に、ユーザプレーン接続として機能する少なくとも２つのＮ３トンネルを確立することを示す。この実施例は、アクセスデバイスとユーザプレーンネットワークエレメントとの間のトランスポートネットワークが高信頼性伝送をサポートすることを、トランスポートネットワーク機能リスト情報が示すシナリオに適用可能であり、またアクセスデバイス及びユーザプレーンネットワークエレメントが両方ともＧＴＰ−Ｕプロトコル拡張をサポートするシナリオに適用可能である。
【００４３】
実現可能な実施例において、第１の指示情報は、アクセスデバイスとユーザプレーンネットワークエレメントとの間に、ユーザプレーン接続として機能する１つのＮ３トンネルを確立することを示す。この実施例は、アクセスデバイスとユーザプレーンネットワークエレメントとの間のトランスポートネットワークが高信頼性伝送をサポートすることを、トランスポートネットワーク機能リスト情報が示すシナリオに適用可能である。
【００４４】
実現可能な実施例において、第１の指示情報は、ユーザプレーン接続の確立を拒否するよう命令する指示情報を示す。この実施例は、トランスポートネットワークが高信頼性伝送をサポートせず、且つアクセスデバイス及びユーザプレーンネットワークエレメントのうちのいずれか一方又は両方がＧＴＰ−Ｕプロトコル拡張をサポートしないことをトランスポートネットワーク機能リスト情報が示すと、セッション管理ネットワークエレメントが決定するシナリオに適用可能である。
【００４５】
実現可能な実施例において、本願の本実施形態で提供される方法はさらに、アクセスデバイスがアクセスネットワークデバイスのプロトコル機能指示情報をセッション管理ネットワークエレメントに送信する段階を含む。この実施例は、アクセスデバイスがアクセスネットワークデバイスのプロトコル機能指示情報をセッション管理ネットワークエレメントに頻繁に送信するシナリオに適用可能でよい。具体的には、アクセスデバイスは、ＡＳメッセージを端末から受信した後に、Ｎ１１メッセージを用いて、アクセスネットワークデバイスのプロトコル機能指示情報をセッション管理ネットワークエレメントに頻繁に送信してよい。
【００４６】
実現可能な実施例において、アクセスデバイスがアクセスネットワークデバイスのプロトコル機能指示情報をセッション管理ネットワークエレメントに送信する段階は具体的には、アクセスデバイスが機能取得要求メッセージをセッション管理ネットワークエレメントから受信する段階と、機能取得要求メッセージに応答して、アクセスデバイスがアクセスネットワークデバイスのプロトコル機能指示情報をセッション管理ネットワークエレメントに送信する段階とを含む。
【００４７】
実現可能な実施例において、本願の本実施形態で提供される方法はさらに、アクセスデバイスが第１の指示をセッション管理ネットワークエレメントから受信する段階を含む。第１の指示は、ＧＴＰ−Ｕ層でサービスフローパケットを複製するようアクセスデバイスに示し、ＧＴＰ−Ｕ層でサービスフローパケットに対して複製検出を行うようユーザプレーンネットワークエレメントに示す。あるいは、第１の指示は、ＧＴＰ−Ｕ層でサービスフローパケットを複製するようユーザプレーンネットワークエレメントに示し、ＧＴＰ−Ｕ層でサービスフローパケットに対して複製検出を行うようアクセスデバイスに示す。
【００４８】
第８態様によれば、本願の一実施形態が伝送装置を提供する。伝送装置はアクセスデバイスでもよく、アクセスデバイス内のチップでもチップシステムでもよい。伝送装置は、通信ユニットを含んでよい。伝送装置がアクセスデバイスの場合、通信ユニットは通信インタフェースでもインタフェース回路でもよい。伝送装置はさらに、処理ユニットと記憶ユニットとを含んでよく、処理ユニットはプロセッサでよい。記憶ユニットはメモリでよい。記憶ユニットは命令を格納するように構成され、処理ユニットは記憶ユニットに格納された命令を実行するので、アクセスデバイスは、第７態様又は第７態様の実現可能な実施例のうちのいずれか１つで説明した伝送方法を実施する。
【００４９】
例えば、伝送装置はアクセスデバイスでよく、通信ユニットは、第１の指示情報をセッション管理ネットワークエレメントから受信するように構成される。第１の指示情報は、アクセスデバイスとユーザプレーンネットワークエレメントとの間のユーザプレーン接続を管理することを示す。ユーザプレーン接続は、端末のサービスフローパケットを伝送するのに用いることができる。
【００５０】
実現可能な実施例において、第１の指示情報は、アクセスデバイスとユーザプレーンネットワークエレメントとの間に、ユーザプレーン接続として機能する少なくとも２つのＮ３トンネルを確立することを示す。この実施例は、アクセスデバイスとユーザプレーンネットワークエレメントとの間のトランスポートネットワークが高信頼性伝送をサポートすることを、トランスポートネットワーク機能リスト情報が示すシナリオに適用可能である。この実施例は、アクセスデバイス及びユーザプレーンネットワークエレメントが両方ともＧＴＰ−Ｕプロトコル拡張をサポートするシナリオに適用可能である。
【００５１】
実現可能な実施例において、第１の指示情報は、アクセスデバイスとユーザプレーンネットワークエレメントとの間に、ユーザプレーン接続として機能する１つのＮ３トンネルを確立することを示す。この実施例は、アクセスデバイスとユーザプレーンネットワークエレメントとの間のトランスポートネットワークが高信頼性伝送をサポートすることを、トランスポートネットワーク機能リスト情報が示すシナリオに適用可能である。
【００５２】
実現可能な実施例において、第１の指示情報は、ユーザプレーン接続の確立を拒否するよう命令する指示情報を示す。この実施例は、トランスポートネットワークが高信頼性伝送をサポートせず、且つアクセスデバイス及びユーザプレーンネットワークエレメントのうちのいずれか一方又は両方がＧＴＰ−Ｕプロトコル拡張をサポートしないことをトランスポートネットワーク機能リスト情報が示すと、セッション管理ネットワークエレメントが決定するシナリオに適用可能である。
【００５３】
実現可能な実施例において、本願の本実施形態で提供される装置はさらに、アクセスネットワークデバイスのプロトコル機能指示情報をセッション管理ネットワークエレメントに送信するようにさらに構成される通信ユニットを含む。この実施例は、アクセスデバイスがアクセスネットワークデバイスのプロトコル機能指示情報をセッション管理ネットワークエレメントに頻繁に送信するシナリオに適用可能でよい。具体的には、アクセスデバイスは、ＡＳメッセージを端末から受信した後に、Ｎ１１メッセージを用いて、アクセスネットワークデバイスのプロトコル機能指示情報をセッション管理ネットワークエレメントに頻繁に送信してよい。
【００５４】
実現可能な実施例において、通信ユニットはさらに、機能取得要求メッセージをセッション管理ネットワークエレメントから受信し、機能取得要求メッセージに応答して、アクセスネットワークデバイスのプロトコル機能指示情報をセッション管理ネットワークエレメントに送信するように構成される。
【００５５】
実現可能な実施例において、本願の本実施形態で提供される装置はさらに、第１の指示をセッション管理ネットワークエレメントから受信するアクセスデバイスを含む。第１の指示は、ＧＴＰ−Ｕ層でサービスフローパケットを複製するようアクセスデバイスに示し、ＧＴＰ−Ｕ層でサービスフローパケットに対して複製検出を行うようユーザプレーンネットワークエレメントに示す。あるいは、第１の指示は、ＧＴＰ−Ｕ層でサービスフローパケットを複製するようユーザプレーンネットワークエレメントに示し、ＧＴＰ−Ｕ層でサービスフローパケットに対して複製検出を行うようアクセスデバイスに示す。
【００５６】
例えば、伝送装置は、アクセスデバイス内のチップでもチップシステムでもよい。処理ユニットはプロセッサでよく、通信ユニットは通信インタフェースでよい。例えば、通信インタフェースは、入力／出力インタフェース、ピン、又は回路などでもよい。処理ユニットは、記憶ユニットに格納された命令を実行するので、ユーザプレーンネットワークエレメントは、第７態様又は第７態様の実現可能な実施例のうちのいずれか１つで説明した伝送方法を実施する。記憶ユニットは、チップ内の記憶ユニット（例えば、レジスタ又はキャッシュ）でもよく、ユーザプレーンネットワークエレメント内にあり且つチップの外側にある記憶ユニット（例えば、リードオンリメモリ又はランダムアクセスメモリ）でもよい。
【００５７】
第９態様によれば、本願の一実施形態がコンピュータ可読記憶媒体を提供する。コンピュータ可読記憶媒体は、コンピュータプログラム又は命令を格納する。コンピュータプログラム又は命令がコンピュータで実行されると、コンピュータは、第７態様又は第７態様の実現可能な実施例のうちのいずれか１つで説明した伝送方法を実行することが可能になる。
【００５８】
第１０態様によれば、本願の一実施形態が、命令を含むコンピュータプログラム製品を提供する。命令がコンピュータで実行されると、コンピュータは、第７態様又は第７態様の実現可能な実施例で説明した伝送方法を実行することが可能になる。
【００５９】
第１１態様によれば、本願の一実施形態が伝送装置を提供する。伝送装置は、プロセッサと記憶媒体とを含む。記憶媒体は命令を格納する。命令がプロセッサによって実行されると、第７態様又は第７態様の実現可能な実施例で説明した伝送方法が実施される。
【００６０】
第１２態様によれば、本願はチップ又はチップシステムを提供する。チップ又はチップシステムは、少なくとも１つのプロセッサと通信インタフェースとを含む。通信インタフェースと少なくとも１つのプロセッサとは、通信線を用いて相互接続される。少なくとも１つのプロセッサは、コンピュータプログラム又は命令を実行して、第７態様又は第７態様の実現可能な実施例のうちのいずれか１つで説明したパラメータ方法を実行するように構成される。
【００６１】
チップ内の通信インタフェースは、入力／出力インタフェース、ピン、又は回路などでもよい。
【００６２】
第１３態様によれば、本願の一実施形態が通信システムを提供する。通信システムは、第２態様で説明した伝送装置と、第８態様で説明した伝送装置とを含む。任意選択で、通信システムはさらに、端末又はユーザプレーンネットワークエレメントなどを含んでもよい。
【００６３】
本願の第２態様から第１３態様までの有益な効果、及びこれらの態様の実施例については、第１態様の有益な効果及びその態様の実施例の分析を参照されたい。詳細は、ここで再度説明しない。
【図面の簡単な説明】
【００６４】
【図１】通信システムの概略構造図である。
【図２】本願の一実施形態による５Ｇネットワークアーキテクチャである。
【図３】本願の一実施形態によるエンドツーエンドユーザプレーンプロトコルスタックのアーキテクチャ図である。
【図４】高信頼性伝送を実現するための、本願の一実施形態によるユーザプレーン拡張プロトコルスタックの概略図である。
【図５】高信頼性伝送を実現するための、本願の一実施形態によるトランスポート層の概略図である。
【図６】本願の一実施形態による通信デバイスのハードウェア構造の概略図である。
【図７】本願の一実施形態による伝送方法の第１の概略フローチャートである。
【図８】本願の一実施形態による伝送方法の第２の概略フローチャートである。
【図９】本願の一実施形態による伝送方法の第３の概略フローチャートである。
【図１０】本願の一実施形態による伝送方法の第４の概略フローチャートである。
【図１１Ａ】本願の一実施形態による伝送方法の第５の概略フローチャートである。
【図１１Ｂ】本願の一実施形態による伝送方法の第５の概略フローチャートである。
【図１２】本願の一実施形態による伝送方法の第６の概略フローチャートである。
【図１３】本願の一実施形態による伝送方法の第７の概略フローチャートである。
【図１４】本願の一実施形態による伝送方法の第８の概略フローチャートである。
【図１５】本願の一実施形態による伝送方法の第９の概略フローチャートである。
【図１６】本願の一実施形態による伝送方法の第１０の概略フローチャートである。
【図１７】本願の一実施形態による伝送方法の第１１の概略フローチャートである。
【図１８】本願の一実施形態による伝送装置の概略構造図である。
【図１９】本願の一実施形態によるチップの概略構造図である。
【発明を実施するための形態】
【００６５】
本願の実施形態における技術的解決手段を明確に説明するために、「第１」及び「第２」などの用語が本願の実施形態に用いられ、基本的に同じ機能及び使用法を有する同じ品目又は同様の品目を区別している。例えば、第１のアクセスデバイス及び第２のアクセスデバイスは、異なるアクセスデバイスを区別することが意図されているだけであり、第１のアクセスデバイス及び第２のアクセスデバイスの順序を限定しない。当業者であれば、「第１」及び「第２」などの用語が数又は実行順序を限定しないこと、また「第１」及び「第２」などの用語が明確な違いを示していないことを理解するであろう。
【００６６】
本願では、「例示的な」又は「例えば」といった言葉を用いて、一例、実例、又は説明の提示を表していることに留意されたい。本願において「例示的な」又は「例えば」と説明される実施形態又は設計構想はいずれも、別の実施形態又は設計構想よりも好ましい又はより多くの利点を有していると説明されるべきではない。正確には、「例示的な」又は「例」などの言葉を用いるのは、具体的な方法で、相対概念を提示することが意図されている。
【００６７】
本願では、「少なくとも１つの」という表現は「１つ又は複数の」を意味し、「複数の」という表現は２つ以上を意味する。「及び／又は」という用語は、関連する対象を説明するための関連関係を説明しており、３つの関係が存在し得ることを表している。例えば、Ａ及び／又はＢは、Ａだけが存在すること、Ａ及びＢが両方とも存在すること、Ｂだけが存在することという３つの場合を表すことができる。Ａ及びＢは単数形でも複数形でもよい。記号「／」は一般に、関連する対象の間の「又は」の関係を示している。「以下の品目のうちの少なくとも１つ」又は同様の表現は、これらの品目の任意の組み合わせを示しており、これらの品目のうちの１つ又は複数による任意の組み合わせを含む。例えば、ａ、ｂ、又はｃのうちの少なくとも１つは、ａ、ｂ、ｃ、ａとｂ、ａとｃ、ｂとｃ、又はａとｂとｃを表してよく、ａ、ｂ、及びｃは単数形でも複数形でもよい。
【００６８】
以下では、添付図面を参照して、本願の技術的解決手段を説明する。
【００６９】
図１は、本願の一実施形態による通信システムの概略構造図である。通信システムは、セッション管理ネットワークエレメント１０と、少なくとも１つのアクセスデバイス２０と、少なくとも１つのユーザプレーンネットワークエレメント３０とを含む。
【００７０】
セッション管理ネットワークエレメント１０及びユーザプレーンネットワークエレメント３０は、コアネットワーク内のネットワークエレメントである。アクセスデバイス２０は、アクセスネットワーク内のネットワークエレメントである。アクセスネットワークは、無線アクセスに関連した機能を実装するように構成されてよい。
【００７１】
任意選択の実施例において、通信システムはさらに、少なくとも１つの端末４０を含んでよい。少なくとも１つの端末４０は、アクセスデバイス２０に無線で接続されて、コアネットワークにアクセスする。
【００７２】
この通信システムに関する、ユーザプレーンネットワークエレメント３０、セッション管理ネットワークエレメント１０、少なくとも１つの端末４０、及び少なくとも１つのアクセスデバイス２０によって実行される具体的な段階については、以下の実施形態の説明を参照されたい。詳細は、ここで再度説明しない。本願の実施形態における通信システム及び伝送方法は、相互に参照されてよいことを理解されたい。
【００７３】
少なくとも１つの端末４０のユーザプレーンデータが、少なくとも１つの端末４０によりアクセスされるアクセスデバイス２０に送信され、次いで、ユーザプレーンデータは、アクセスデバイス２０とユーザプレーンネットワークエレメント３０との間のユーザプレーン接続を通じてユーザプレーンネットワークエレメント３０に伝送され、ユーザプレーンデータは最終的に、ユーザプレーンネットワークエレメント３０によってネットワークに送信される。当然ながら、ユーザプレーンネットワークエレメント３０はさらに、端末に送信されるユーザプレーンデータをネットワークから取得し、次いで、ユーザプレーンネットワークエレメント３０とアクセスデバイス２０との間のユーザプレーン接続を通じて、端末のユーザプレーンデータをアクセスデバイス２０に送信してよく、アクセスデバイス２０は最終的に、ユーザプレーンデータを対象の端末に伝送する。
【００７４】
本願の実施形態におけるユーザプレーンデータは、サービスフローパケットとも呼ばれることがある。
【００７５】
例えば、本願の本実施形態におけるアクセスデバイス２０は、４Ｇネットワークにおけるアクセスデバイス、例えば、進化型ＮｏｄｅＢ（ｅｖｏｌｖｅｄ  ＮｏｄｅＢ、ｅＮＢ）でよい。この場合、コアネットワークは、４Ｇコアネットワーク（例えば、進化型パケットコア（Ｅｖｏｌｖｅｄ  Ｐａｃｋｅｔ  Ｃｏｒｅ、ＥＰＣ））でよい。
【００７６】
別の例において、本願の本実施形態におけるアクセスデバイス２０は、５Ｇネットワークにおけるアクセスデバイス、例えば、次世代ＮｏｄｅＢ（Ｔｈｅ  Ｎｅｘｔ  Ｇｅｎｅｒａｔｉｏｎ  Ｎｏｄｅ  Ｂ、ｇＮＢ）でよい。この場合、コアネットワークは５Ｇコア（５Ｇ  Ｃｏｒｅ、５ＧＣ）でよい。
【００７７】
例えば、アクセスデバイスは、無線アクセスを端末に提供するデバイスである。当該デバイスは、無線アクセスネットワーク（例えば、次世代無線アクセスネットワーク（Ｎｅｘｔ  Ｇｅｎｅｒａｔｉｏｎ  Ｒａｄｉｏ  Ａｃｃｅｓｓ  Ｎｅｔｗｏｒｋ、ＮＧ  ＲＡＮ））デバイス、有線アクセスネットワーク／固定ネットワークアクセス（Ｗｉｒｅｌｉｎｅ  ５Ｇ  Ａｃｃｅｓｓ  Ｎｅｔｗｏｒｋ、Ｗ−５ＧＡＮ）デバイス、例えば、アクセスゲートウェイ機能（Ａｃｃｅｓｓ  Ｇａｔｅｗａｙ  Ｆｕｎｃｔｉｏｎ、ＡＧＦ）若しくはネットワークゲートウェイ制御デバイス（Ｂｒｏａｄｂａｎｄ  ｎｅｔｗｏｒｋ  ｇａｔｅｗａｙ、ＢＮＧ）、Ｗｉ−ＦｉのＡＰ、又はＷｉＭＡＸのＢＳでもよい。
【００７８】
任意選択の実施例において、通信システムはさらに、モビリティ管理ネットワークエレメント又はポリシーネットワークエレメントなどを含んでよい。４Ｇネットワークにおいて、セッション管理ネットワークエレメント１０は、モビリティ管理エンティティ（Ｍｏｂｉｌｉｔｙ  Ｍａｎａｇｅｍｅｎｔ  Ｅｎｔｉｔｙ、ＭＭＥ）でよい。ユーザプレーンネットワークエレメントは、サービングゲートウェイ（Ｓｅｒｖｉｎｇ  ＧａｔｅＷａｙ、ＳＧＷ）及び／又はＰＤＮゲートウェイ（ＰＤＮ  ＧａｔｅＷａｙ、ＰＧＷ）でよい。ポリシーネットワークエレメントは、ポリシー及び課金ルール機能ユニット（Ｐｏｌｉｃｙ  ａｎｄ  Ｃｈａｒｇｉｎｇ  Ｒｕｌｅｓ  Ｆｕｎｃｔｉｏｎ、ＰＣＲＦ）でよい。言い換えれば、４Ｇにおいて、ＭＭＥは、セッション管理機能及びモビリティ管理機能を両方とも有する。
【００７９】
５Ｇネットワークでは、図２に示すように、セッション管理ネットワークエレメント１０は、セッション管理機能（Ｓｅｓｓｉｏｎ  Ｍａｎａｇｅｍｅｎｔ  Ｆｕｎｃｔｉｏｎ、ＳＭＦ）ネットワークエレメント１０６でよい。ユーザプレーンネットワークエレメント３０は、ユーザプレーン機能（Ｕｓｅｒ  ｐｌａｎｅ  ｆｕｎｃｔｉｏｎ、ＵＰＦ）ネットワークエレメント１０３でよい。アクセスデバイスは、無線アクセスデバイス（Ｒａｄｉｏ  Ａｃｃｅｓｓ  Ｎｅｔｗｏｒｋ、ＲＡＮ）１０２でよい。モビリティ管理ネットワークエレメントは、アクセス及びモビリティ管理（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）ネットワークエレメント１０５でよく、ポリシーネットワークエレメントは、ポリシー制御ネットワークエレメント（Ｐｏｌｉｃｙ  Ｃｏｎｔｒｏｌ  Ｆｕｎｃｔｉｏｎ）１０７でよい。
【００８０】
さらに、図２に示すように、５Ｇネットワークアーキテクチャはさらに、アプリケーション機能（ａｐｐｌｉｃａｔｉｏｎ  ｆｕｎｃｔｉｏｎ、ＡＦ）、統合データ管理ネットワークエレメント（Ｕｎｉｆｉｅｄ  Ｄａｔａ  Ｍａｎａｇｅｍｅｎｔ、ＵＤＭ）１０８、及びデータネットワーク（ｄａｔａ  ｎｅｔｗｏｒｋ、ＤＮ）１０４を含んでよい。さらに、実現可能な実施例において、５Ｇネットワークアーキテクチャはさらに、ネットワークレポジトリ機能（ｎｅｔｗｏｒｋ  ｒｅｐｏｓｉｔｏｒｙ  ｆｕｎｃｔｉｏｎ、ＮＲＦ）ネットワークエレメントを含んでよい。ＮＲＦネットワークエレメントは、このアーキテクチャ図には示されていない。ＮＲＦネットワークエレメントは主に、ネットワークエレメントディスカバリに用いられる。
【００８１】
端末は、次世代ネットワーク（Ｎｅｘｔ  ｇｅｎｅｒａｔｉｏｎ、Ｎ１）インタフェース（略してＮ１）を通じてＡＭＦネットワークエレメントと通信する。アクセスデバイスは、Ｎ２インタフェース（略してＮ２）を通じてＡＭＦネットワークエレメントと通信する。アクセスデバイスは、Ｎ３インタフェース（略してＮ３）を通じてＵＰＦネットワークエレメントと通信する。ＵＰＦネットワークエレメントは、Ｎ６インタフェース（略してＮ６）を通じてＤＮと通信する。任意の２つのＵＰＦネットワークエレメントが、Ｎ９インタフェース（略してＮ９）を通じて互いに通信する。ＵＰＦネットワークエレメントは、Ｎ４インタフェース（略してＮ４）を通じてＳＭＦネットワークエレメントと通信する。ＡＭＦネットワークエレメントは、Ｎ１１インタフェース（略してＮ１１）を通じてＳＭＦネットワークエレメントと通信する。ＡＭＦネットワークエレメントは、Ｎ８インタフェース（略してＮ８）を通じてＵＤＭネットワークエレメントと通信する。ＳＭＦネットワークエレメントは、Ｎ７インタフェース（略してＮ７）を通じてＰＣＦネットワークエレメントと通信する。ＳＭＦネットワークエレメントは、Ｎ１０インタフェース（略してＮ１０）を通じてＵＤＭネットワークエレメントと通信する。
【００８２】
図２に示すネットワークアーキテクチャにおいて、制御プレーンネットワークエレメントは代替的に、サービスベースのインタフェースを用いて互いにやり取りしてよいことを理解されたい。例えば、ＡＭＦネットワークエレメント、ＳＭＦネットワークエレメント、ＵＤＭネットワークエレメント、又はＰＣＦネットワークエレメントは、サービスベースのインタフェースを用いて互いにやり取りする。例えば、ＡＭＦネットワークエレメントにより提供される外部サービスベースのインタフェースがＮａｍｆでよい。ＳＭＦネットワークエレメントにより提供される外部サービスベースのインタフェースがＮｓｍｆでよい。ＵＤＭネットワークエレメントにより提供される外部サービスベースのインタフェースがＮｕｄｍでよい。ＰＣＦネットワークエレメントにより提供される外部サービスインタフェースがＮｐｃｆでよい。図３に示す様々なサービスベースのインタフェースの名称の関連説明については、２３５０１規格の５Ｇシステムアーキテクチャ（５Ｇ  ｓｙｓｔｅｍ  ａｒｃｈｉｔｅｃｔｕｒｅ）図を参照することを理解されたい。詳細は、ここで説明しない。
【００８３】
図２は、例えば、ＵＰＦネットワークエレメント及びＳＭＦネットワークエレメントを提示するだけであることに留意されたい。当然ながら、この図には、複数のＵＰＦネットワークエレメント及び複数のＳＭＦネットワークエレメントが含まれてよく、例えば、ＳＭＦネットワークエレメント１及びＳＭＦネットワークエレメント２が含まれてよい。このことが、本願の本実施形態において特に限定されることはない。
【００８４】
図２のアクセスデバイス、ＡＭＦネットワークエレメント、ＳＭＦネットワークエレメント、ＵＤＭネットワークエレメント、ＵＰＦネットワークエレメント、及びＰＣＦネットワークエレメントなどは単なる名称であり、これらの名称が何らかの制限をデバイスにもたらすことはないことに留意されたい。５Ｇネットワーク及び別の将来のネットワークにおいて、アクセスデバイス、ＡＭＦネットワークエレメント、ＳＭＦネットワークエレメント、ＵＤＭネットワークエレメント、ＵＰＦネットワークエレメント、及びＰＣＦネットワークエレメントに対応するネットワークエレメントが、他の名前でもよい。これについては、本願の本実施形態では特に限定されない。例えば、ＵＤＭネットワークエレメントは、ホーム加入者サーバ（ｈｏｍｅ  ｓｕｂｓｃｒｉｂｅｒ  ｓｅｒｖｅｒ、ＨＳＳ）、ユーザサブスクリプションデータベース（ｕｓｅｒ  ｓｕｂｓｃｒｉｐｔｉｏｎ  ｄａｔａｂａｓｅ、ＵＳＤ）、又はデータベースエンティティなどと置き換えられてよい。これについては、ここで一様に説明されており、詳細は以下で再度説明しない。
【００８５】
ＲＡＮ１０２は、無線アクセスを端末に提供するデバイスであり、限定されるものではないが、ｅＮｏｄｅＢ、Ｗｉ−ＦｉのＡＰ、又はＷｉＭＡＸのＢＳなどを含む。
【００８６】
ＡＭＦネットワークエレメント１０５は主に、モバイルネットワークにおいて、ユーザ位置の更新、ネットワークへのユーザ登録、及びユーザ切り替えなどのモビリティ管理の役割を担う。
【００８７】
ＳＭＦネットワークエレメント１０６は主に、モバイルネットワークにおいて、セッションの確立、変更、及び解放などのセッション管理の役割を担う。例えば、特定の機能によって、ＩＰアドレスがユーザに割り当てられ、パケット転送機能を提供するＵＰＦが選択されることになる。
【００８８】
ＰＣＦネットワークエレメント１０７は、ＡＭＦネットワークエレメント１０５及びＳＭＦネットワークエレメント１０６に、サービス品質ＱｏＳポリシー及びスライス選択ポリシーなどのポリシーを提供する役割を担う。
【００８９】
ＵＤＭネットワークエレメント１０８は、サブスクリプション情報及び認証／認可情報などのユーザデータを格納するように構成される。
【００９０】
ＵＰＦは主に、転送および課金などの、ユーザのパケットを処理する役割を担う。
【００９１】
ＤＮは、データ伝送サービスをユーザに提供するＩＭＳ（ＩＰ  Ｍｕｌｔｉ−ｍｅｄｉａ  Ｓｅｒｖｉｃｅ、ＩＰ  ｍｕｌｔｉｍｅｄｉａ  ｓｅｒｖｉｃｅ）などの事業者ネットワーク、又はインターネットである。
【００９２】
端末は、ＵＥ、ＲＡＮ、ＵＰＦネットワークエレメント、及びＤＮを通るセッション（ＰＤＵ  ｓｅｓｓｉｏｎ）を確立することにより、データネットワーク（Ｄａｔａ  Ｎｅｔｗｏｒｋ、ＤＮ）にアクセスする。
【００９３】
図３に示すように、図３は、端末とユーザプレーンネットワークエレメントとの間の、本願の一実施形態によるユーザプレーンプロトコルスタックのアーキテクチャ図である。図３に示すように、端末の場合、端末は、以下のプロトコル層を上から下まで連続して含んでよい。すなわち、アプリケーション（Ａｐｐｌｉｃａｔｉｏｎ）層、ＰＤＵ層、サービスデータアダプテーションプロトコル（ｓｅｒｖｉｃｅ  ｄａｔａ  ａｄａｐｔａｔｉｏｎ  ｐｒｏｔｏｃｏｌ、ＳＤＡＰ）層、パケットデータコンバージェンスプロトコル（Ｐａｃｋｅｔ  ｄａｔａ  ｃｏｎｖｅｒｇｅｎｃｅ  ｐｒｏｔｏｃｏｌ、ＰＤＣＰ）層、無線リンク制御（ｒａｄｉｏ  ｌｉｎｋ  ｃｏｎｔｒｏｌ、ＲＬＣ）層、媒体アクセス制御（ｍｅｄｉａ  ａｃｃｅｓｓ  ｃｏｎｔｒｏｌ、ＭＡＣ）層、及びＬ１層である。アクセスデバイスの場合、アクセスデバイスは、端末に対応する第１のプロトコルスタックと、ＵＰＦネットワークエレメントに対応する第２のプロトコルスタックとを含んでよい。第１のプロトコルスタックは、以下の層を上から下まで連続して含んでよい。すなわち、端末のＳＤＡＰ層に対応するＳＤＡＰ層、端末のＰＤＣＰ層に対応するＰＤＣＰ層、端末のＲＬＣ層に対応するＲＬＣ層、端末のＭＡＣ層に対応するＭＡＣ層、及び端末のＬ１層に対応するＬ１層である。第２のプロトコルスタックは、汎用パケット無線サービストンネリングプロトコルユーザプレーン（ｇｅｎｅｒａｌ  ｐａｃｋｅｔ  ｒａｄｉｏ  ｓｅｒｖｉｃｅ  ｔｕｎｎｅｌｉｎｇ  ｐｒｏｔｏｃｏｌ  ｕｓｅｒ  ｐｌａｎｅ、ＧＴＰ−Ｕ）層、ＵＤＰ層／インターネットプロトコル（ｉｎｔｅｒｎｅｔ  ｐｒｏｔｏｃｏｌ、ＩＰ）層、Ｌ２層（ｌａｙｅｒ  ２）、及びＬ１層（ｌａｙｅｒ  １）を含む。ＵＰＦネットワークエレメントのプロトコルスタックが、以下の層を上から下まで連続して含んでよい。すなわち、端末に対応するＰＤＵ層、ＲＡＮに対応するＧＴＰ−Ｕ層、ＲＡＮに対応するＵＤＰ／ＩＰ層、並びにＲＡＮに対応するＬ２層及びＬ１層である。
【００９４】
ＧＴＰ−Ｕ層は、ＵＤＰ層／ＩＰ層に基づくトンネルカプセル化プロトコルであり、無線アクセスネットワーク（例えばＡＮ）とコアネットワーク（例えば、ＵＰＦネットワークエレメント）との間でサービスフローパケットを転送するのに用いることができる。
【００９５】
サービスフローパケットが、トンネルを確立することにより、ＲＡＮとＵＰＦネットワークエレメントとの間で伝送される。トンネルは、Ｎ３トンネルと呼ばれる。ＲＡＮ及びＵＰＦネットワークエレメントは、複数のスイッチ又は複数のルータを用いて接続される。これらのスイッチ／ルータは、ＲＡＮとＵＰＦネットワークエレメントとの間でパケットを転送するように構成される。
【００９６】
高信頼性伝送の要件を有するサービス（例えば、ＵＲＬＬＣサービス）の場合、ユーザプレーンデータの高信頼性伝送を実施するのに用いられ得る方式が２つある。
【００９７】
第１の方式では、冗長伝送がＧＴＰ−Ｕ層で実行される。図４に示すように、端末によりアクセスされるアクセスデバイスとユーザプレーンネットワークエレメントとが両方ともＧＴＰ−Ｕプロトコル拡張をサポートする場合、冗長なＮ３トンネルが、端末によりアクセスされるＲＡＮとＵＰＦとの間に確立されてよい。言い換えれば、少なくとも２つのＮ３トンネル、例えば、図４に示すＮ３トンネル（ｔｕｎｎｅｌ）１及びＮ３トンネル２が、同じＲＡＮと同じＵＰＦとの間に確立される。アップリンク方向において、具体的には、端末がユーザプレーンデータをコアネットワークに送信するプロセスにおいて、ＲＡＮは、アップリンクユーザプレーンデータを端末から受信したときに、アップリンクユーザプレーンデータをＧＴＰ−Ｕ層で複製して、アップリンクユーザプレーンデータ１及びアップリンクユーザプレーンデータ２を取得してよい。アップリンクユーザプレーンデータ１及びアップリンクユーザプレーンデータ２は、アップリンクユーザプレーンデータを複製することで取得される同じユーザプレーンデータである。ＲＡＮは、Ｎ３トンネル１を用いて、アップリンクユーザプレーンデータ１をＵＰＦネットワークエレメントに伝送し、Ｎ３トンネル２を用いて、アップリンクユーザプレーンデータ２をＵＰＦネットワークエレメントに伝送する。ＵＰＦネットワークエレメントは、アップリンクユーザプレーンデータ１及びアップリンクユーザプレーンデータ２を受信した後に、ＧＴＰ−Ｕ層で、アップリンクユーザプレーンデータ１及びアップリンクユーザプレーンデータ２に対して複製検出を行ってよい。したがって、ユーザプレーンデータの高信頼性伝送が実現される。ダウンリンク方向（具体的には、コアネットワークがユーザプレーンデータを端末に送信するプロセス）において、ＵＰＦネットワークエレメントは、ＧＴＰ−Ｕ層でダウンリンクユーザプレーンデータを複製し、互いに独立したＮ３トンネル１及びＮ３トンネル２を用いて、複製したダウンリンクユーザプレーンデータを別々にＲＡＮに伝送する。ＲＡＮは、ダウンリンクユーザプレーンデータから複製したダウンリンクユーザプレーンデータを、Ｎ３トンネル１及びＮ３トンネル２から削除する。Ｎ３トンネル１及びＮ３トンネル２は、サービスフローパケットを伝送する異なる経路であり、すなわち、アップリンクユーザプレーンデータ１及びアップリンクユーザプレーンデータ２は異なるスイッチ／ルータを介してＵＰＦネットワークエレメントに伝送されることを理解されたい。
【００９８】
上記説明から理解できることは、第１の方式では、ＲＡＮ及びＵＰＦネットワークエレメントがＧＴＰ−Ｕプロトコル層でユーザプレーンデータを複製し、複製したユーザプレーンデータをＧＴＰ−Ｕプロトコル層で削除することが必要となるということである。言い換えれば、第１の方式では、ＲＡＮ及びＵＰＦネットワークエレメントがＧＴＰ−Ｕ拡張プロトコルをサポートすることが必要となる。
【００９９】
第２の方式では、トランスポート層冗長伝送を用いて、高信頼性伝送が実施される。図５に示すように、ＲＡＮ及びＵＰＦネットワークエレメントは、複製プロトコル（ｒｅｐｌｉｃａｔｉｏｎ  ｐｒｏｔｏｃｏｌ、ＲＰ）機能をサポートする。すなわち、ＲＡＮ及びＵＰＦネットワークエレメントは複製機能を有する。複製機能は、ＲＡＮ及びＵＰＦネットワークエレメントから独立した別個のエンティティでよいことに留意されたい。例えば、ＲＰは、ＲＡＮ又はＵＰＦネットワークエレメントに接続されたスイッチ又はルータに配置されてよい。パケットがトランスポート層で複製され、複製されたパケットが複製機能を用いてトランスポート層で削除されて、ユーザプレーンデータの冗長伝送が実施される。
【０１００】
例えば、ＲＰ機能がＲＡＮ及びＵＰＦネットワークエレメントに配置される一例を用いて、ユーザプレーン伝送が説明される。アップリンク方向では、端末から受信したアップリンクユーザプレーンデータが、ＲＡＮのＲＰ機能を用いてトランスポート層で複製され、アップリンクユーザプレーンデータ１及びアップリンクユーザプレーンデータ２が取得される。次いで、ＲＡＮは、独立した伝送経路を通じて、アップリンクユーザプレーンデータ１及びアップリンクユーザプレーンデータ２をＵＰＦネットワークエレメントに別々に伝送する。具体的には、ＲＡＮは、伝送経路１を通じてアップリンクユーザプレーンデータ１をＵＰＦに伝送し、伝送経路２を通じてアップリンクユーザプレーンデータ２をＵＰＦネットワークエレメントに伝送する。ＵＰＦネットワークエレメントは、アップリンクユーザプレーンデータ１及びアップリンクユーザプレーンデータ２を受信した後に、複製したユーザプレーンデータをアップリンクユーザプレーンデータ１及びアップリンクユーザプレーンデータ２から削除する。ダウンリンク方向では、受信したダウンリンクユーザプレーンデータが、ＵＰＦのＲＰ機能を用いてトランスポート層で複製されて、ダウンリンクユーザプレーンデータ１及びダウンリンクユーザプレーンデータ２が取得される。次いで、ＵＰＦネットワークエレメントは、独立した伝送経路を用いて、ダウンリンクユーザプレーンデータ１及びダウンリンクユーザプレーンデータ２をＲＡＮに送信する。ＲＡＮは、受信したダウンリンクユーザプレーンデータ１及び受信したダウンリンクユーザプレーンデータ２から、複製したユーザプレーンデータを削除する。トランスポート層は、プロトコルスタックのレイヤ２プロトコル層であり、具体的にはＭＡＣ層でよい。伝送経路は、ＲＡＮとＵＰＦネットワークエレメントとの間の少なくとも１つのルータ又は少なくとも１つのスイッチと、互いに独立した伝送経路１及び伝送経路２とを接続することで形成される経路を意味する。
【０１０１】
前述の説明から理解できることは、第２の方式では、ユーザプレーンデータがトランスポート層で複製され、複製されたユーザプレーンデータがＲＰ機能を用いてトランスポート層で削除されることが必要となるということである。言い換えれば、第２の方式では、ＲＡＮとＵＰＦネットワークエレメントとの間のトランスポートネットワークが高信頼性伝送をサポートすることが必要となる。ＲＡＮ又はＵＰＦネットワークエレメントが、図４に示すソリューションを用いてユーザプレーンデータを伝送する場合、ＲＡＮ又はＵＰＦネットワークエレメントは、ＧＴＰ−Ｕ拡張プロトコルをサポートしない。あるいは、ＲＡＮ又はＵＰＦネットワークエレメントが、図５に示すソリューションを用いてユーザプレーンデータを伝送する場合、トランスポートネットワークは高信頼性伝送をサポートしない。したがって、高信頼性伝送方式は無効なソリューションであり、具体的には、ユーザプレーンデータの伝送が極めて確実に保証されることはない。
【０１０２】
前述の２つの高信頼性伝送ソリューションについては、現在のところ、ＵＲＬＬＣサービスに対して、適当な高信頼性伝送ソリューションをどのように選択するかを説明できるソリューションが１つもない。ＳＭＦネットワークエレメントが、これらの高信頼性伝送ソリューションのうちの一方をランダムに選択することによってユーザプレーンデータを伝送する場合、サービスの高信頼性伝送を保証できないという現象が発生することがあるので、ユーザのサービス体験が低下する。例えば、ＳＭＦネットワークエレメントは、図４に示す高信頼性ソリューションを用いてユーザプレーンデータを伝送するが、ＲＡＮ又はＵＰＦネットワークエレメントはＧＴＰ−Ｕ拡張プロトコルをサポートしない。あるいは、ＳＭＦネットワークエレメントは、図５に示す高信頼性ソリューションを用いてユーザプレーンデータを伝送するが、トランスポートネットワークは高信頼性伝送をサポートしない。この場合、ＳＭＦネットワークエレメントが選択した高信頼性ソリューションを正常に実行することはできない。言い換えれば、高信頼性ソリューションは無効なソリューションであり、したがって、ＵＲＬＬＣサービスのユーザプレーンデータ伝送が極めて確実に保証されることはない。
【０１０３】
したがって、本願の一実施形態が伝送方法を提供し、アクセスデバイスとユーザプレーンネットワークエレメントとの間のユーザプレーン接続管理を実現する。セッション管理ネットワークエレメントが、トランスポートネットワーク機能リスト情報を取得し、トランスポートネットワーク機能リスト情報に基づいて、トランスポートネットワークが高信頼性伝送をサポートするかどうかを判定して、アクセスデバイスとユーザプレーンネットワークエレメントとの間のユーザプレーン接続を管理する。例えば、トランスポートネットワークが高信頼性伝送をサポートする場合、図５に示すソリューションが選択されて、ユーザプレーンデータを伝送する。
【０１０４】
図６は、本願の一実施形態による通信デバイスのハードウェア構造の概略図である。本願の本実施形態における端末、セッション管理ネットワークエレメント、及びユーザプレーンネットワークエレメントのハードウェア構造については、図６に示す通信デバイスのハードウェア構造の概略図を参照されたい。通信デバイスは、プロセッサ４１と、通信回線４４と、少なくとも１つの通信インタフェース（図６は、通信デバイスが通信インタフェース４３を含む一例だけを用いて説明されている）とを含む。
【０１０５】
プロセッサ４１は、本願のソリューションのプログラム実行を管理するように構成された、汎用の中央演算処理装置（ｃｅｎｔｒａｌ  ｐｒｏｃｅｓｓｉｎｇ  ｕｎｉｔ、ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は１つ若しくは複数の集積回路でもよい。
【０１０６】
通信回線４４は、前述のコンポーネントの間で情報を伝送するチャネルを含んでよい。
【０１０７】
通信インタフェース４３は、送受信機などの任意の装置に用いられ、別のデバイス、又は別の通信ネットワークと通信するように構成される。別の通信ネットワークとは、イーサネット（登録商標）、無線アクセスネットワーク（ｒａｄｉｏ  ａｃｃｅｓｓ  ｎｅｔｗｏｒｋ、ＲＡＮ）、又は無線ローカルエリアネットワーク（ｗｉｒｅｌｅｓｓ  ｌｏｃａｌ  ａｒｅａ  ｎｅｔｗｏｒｋ、ＷＬＡＮ）などである。任意選択で、通信デバイスはさらに、メモリ４２を含んでよい。
【０１０８】
メモリ４２は、リードオンリメモリ（ｒｅａｄ−ｏｎｌｙ  ｍｅｍｏｒｙ、ＲＯＭ）、静的な情報及び命令を格納できる別のタイプの静的記憶装置、ランダムアクセスメモリ（ｒａｎｄｏｍ  ａｃｃｅｓｓ  ｍｅｍｏｒｙ、ＲＡＭ）、又は情報及び命令を格納できる別のタイプの動的記憶装置でもよく、電気的消去可能プログラム可能型リードオンリメモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスクリードオンリメモリ（ｃｏｍｐａｃｔ  ｄｉｓｃ  ｒｅａｄ−ｏｎｌｙ  ｍｅｍｏｒｙ、ＣＤ−ＲＯＭ）若しくは別のコンパクトディスク記憶装置、光ディスク記憶装置（コンパクトディスク、レーザディスク、光ディスク、デジタル多用途ディスク、ブルーレイ（登録商標）ディスクなどを含む）、磁気ディスク記憶媒体、別の磁気記憶装置、又は期待されるプログラムコードを命令若しくはデータ構造体の形態で保持若しくは格納するように構成でき且つコンピュータがアクセスできる任意の他の媒体でもよい。しかしながら、メモリ４２はこれらに限定されない。メモリは、独立して存在してよく、通信回線４４を用いてプロセッサに接続される。メモリは、代替的に、プロセッサと一体化されてもよい。
【０１０９】
メモリ４２は、本願のソリューションを実行するためのコンピュータ実行可能命令を格納するように構成され、プロセッサ４１はコンピュータ実行可能命令の実行を制御する。プロセッサ４１は、本願の以下の実施形態で提供される伝送方法を実施するために、メモリ４２に格納されたコンピュータ実行可能命令を実行するように構成される。
【０１１０】
任意選択で、本願の本実施形態におけるコンピュータ実行可能命令は、アプリケーションプログラムコードとも呼ばれることがある。このことは、本願の本実施形態において特に限定されない。
【０１１１】
特定の実装において、一実施形態では、プロセッサ４１は、図６のＣＰＵ０及びＣＰＵ１などの１つ又は複数のＣＰＵを含んでよい。
【０１１２】
特定の実装において、一実施形態では、通信デバイスは、図６のプロセッサ４１及びプロセッサ４５などの複数のプロセッサを含んでよい。これらのプロセッサのそれぞれは、シングルコア（ｓｉｎｇｌｅ−ＣＰＵ）プロセッサでもよく、マルチコア（ｍｕｌｔｉ−ＣＰＵ）プロセッサでもよい。本明細書のプロセッサは、１つ又は複数のデバイス、回路、及び／又はデータ（例えば、コンピュータプログラム命令）を処理するように構成された処理コアでもよい。
【０１１３】
本願の実施形態で提供される伝送方法が、図１〜図６を参照して、以下に詳細に説明される。
【０１１４】
本願の以下の実施形態におけるネットワークエレメント間のメッセージの名称、又はメッセージ内のパラメータの名称などは単なる例であり、特定の実装では他の名前でもよいことに留意されたい。このことは、本願の本実施形態において特に限定されない。
【０１１５】
図７に示すように、本願の一実施形態が伝送方法を提供する。この伝送方法は、以下に挙げる段階を含む。
【０１１６】
段階１０１：セッション管理ネットワークエレメントがトランスポートネットワーク機能リスト情報を取得する。トランスポートネットワーク機能リスト情報は、トランスポートネットワークが高信頼性伝送をサポートするかどうかを示す。トランスポートネットワークは、アクセスデバイスとユーザプレーンネットワークエレメントとの間のネットワークである。
【０１１７】
例えば、トランスポートネットワークは、少なくとも１つのアクセスデバイスのうちの各アクセスネットワークデバイスと少なくとも１つのユーザプレーンネットワークエレメントとの間のネットワークでよい。異なるアクセスデバイスが同じユーザプレーンネットワークエレメントに対応してよく、すなわち、１つのユーザプレーンネットワークエレメントが複数のアクセスデバイスに接続されてよい。１つのアクセスデバイスが、複数のユーザプレーンネットワークエレメントにアクセスしてもよい。少なくとも１つのアクセスデバイス及び少なくとも１つのユーザプレーンネットワークエレメントは両方とも、セッション管理ネットワークエレメントのサービスエリアに位置している。
【０１１８】
例えば、トランスポートネットワークは、以下の表１に示すように、アクセスデバイス１とユーザプレーンネットワークエレメント１との間のネットワーク、アクセスデバイス１とユーザプレーンネットワークエレメント２との間のネットワーク、及びアクセスデバイス２とユーザプレーンネットワークエレメント１との間のネットワークを含んでよい。
【表１】
2021517376.tif 000003
【０１１９】
段階１０２：セッション管理ネットワークエレメントは、トランスポートネットワーク機能リスト情報に基づいて、アクセスデバイスとユーザプレーンネットワークエレメントとの間の、端末のユーザプレーン接続を管理する。ユーザプレーン接続は、端末のサービスフローパケットを伝送するのに用いることができる。
【０１２０】
本願の本実施形態におけるユーザプレーン接続の管理は、ユーザプレーン接続を確立すること又はユーザプレーン接続の確立を拒否することを意味してよい。
【０１２１】
アクセスデバイスとユーザプレーンネットワークエレメントとの間の、端末のユーザプレーン接続をどのように管理するかは、先行技術では決まっていない。本願の本実施形態で提供される伝送方法において、セッション管理ネットワークエレメントは、トランスポートネットワーク機能リスト情報を取得する。トランスポートネットワーク機能リスト情報は、トランスポートネットワークが高信頼性伝送をサポートするかどうかを示し、トランスポートネットワークは、アクセスデバイスとユーザプレーンネットワークエレメントとの間のネットワークであるため、セッション管理ネットワークエレメントは、トランスポートネットワークが高信頼性伝送をサポートするかどうかを判定できるようになり、ユーザプレーン接続をどのように管理するかを決定できるようになる。このように、端末のサービスフローパケットは確実に伝送され得る。
【０１２２】
一例では、トランスポートネットワーク機能リスト情報が、端末によりアクセスされるアクセスデバイス（例えば、表１に示すアクセスデバイス１）と、セッション管理プロセスにおいて端末のためにセッション管理ネットワークエレメントにより選択されるユーザプレーンネットワークエレメント（例えば、ユーザプレーンネットワークエレメント１）との間のトランスポートネットワークが高信頼性伝送をサポートするかどうかを示す場合、実現可能な実施形態において、図８に示すように、段階１０２の前に、本願の本実施形態で提供される方法はさらに、以下の段階を含む。
【０１２３】
段階１０３：セッション管理ネットワークエレメントは、アクセスデバイスのプロトコル機能指示情報と、ユーザプレーンネットワークエレメントのプロトコル機能指示情報とを取得する。アクセスデバイスのプロトコル機能指示情報は、アクセスデバイスが汎用パケット無線サービスのトンネリングプロトコル−ユーザプレーンＧＴＰ−Ｕプロトコル拡張をサポートするかどうかを示し、ユーザプレーンネットワークエレメントのプロトコル機能指示情報は、ユーザプレーンネットワークエレメントがＧＴＰ−Ｕプロトコル拡張をサポートするかどうかを示す。
【０１２４】
一方では、端末によりアクセスされるアクセスデバイスとユーザプレーンネットワークエレメントとの間のトランスポートネットワークが高信頼性伝送をサポートするかどうかに関係なく、セッション管理ネットワークエレメントは段階１０３を実行してよいことを理解されたい。他方では、実現可能な実施形態において、端末によりアクセスされるアクセスデバイスと、セッション管理プロセスにおいて端末のためにセッション管理ネットワークエレメントにより選択されるユーザプレーンネットワークエレメントとの間のトランスポートネットワークが高信頼性伝送をサポートしないことを、トランスポートネットワーク機能リスト情報が示すと、セッション管理ネットワークエレメントが決定した場合、セッション管理ネットワークエレメントは段階１０３を実行してよい。トランスポートネットワークが高信頼性伝送をサポートするかどうかを、セッション管理ネットワークエレメントが判定する必要がない場合、段階１０１と段階１０３とが同時に行われてよく、又は段階１０３が段階１０１の前に行われることに留意されたい。言い換えれば、段階１０１及び段階１０３の順序が、本願の本実施形態で限定されることはない。
【０１２５】
例えば、本願の本実施形態において、セッション管理ネットワークエレメントがアクセスデバイスのプロトコル機能指示情報を取得する方式は、以下のことを含んでよい。
【０１２６】
方式１：セッション管理ネットワークエレメントは、アクセスデバイスのプロトコル機能指示情報をモビリティ管理ネットワークエレメントから受信する。例（１）：アクセスデバイスは、送信を頻繁に行う。
【０１２７】
例えば、図９に示すように、第１の実現可能な実施例において、段階１０３は、具体的には以下の方式で実施されてよい。
【０１２８】
段階１０３０：端末がＡＳメッセージをアクセスデバイスに送信することにより、アクセスデバイスはＡＳメッセージを端末から受信する。ＡＳメッセージは、ＮＡＳメッセージを保持する。ＮＡＳメッセージは、セッション識別子、データネットワーク名ＤＮＮ、Ｓ−ＮＳＳＡＩ、及びセッション確立要求メッセージを含む。具体的には、端末は、セッション確立手順を行う必要があると判定した場合、段階１０３０を行ってよい。
【０１２９】
段階１０３１：アクセスデバイスは、Ｎ２メッセージをモビリティ管理ネットワークエレメントに送信する。Ｎ２メッセージは、アクセスデバイスのプロトコル機能指示情報、段階１０３０のＮＡＳメッセージ、又は端末の位置情報などを保持する。端末の位置情報は、アクセスデバイスの識別子により表されてよい。
【０１３０】
段階１０３２：モビリティ管理ネットワークエレメントは、Ｎ１１メッセージをセッション管理ネットワークエレメントに送信する。Ｎ１１メッセージは、アクセスデバイスのプロトコル機能指示情報と端末の位置情報とを保持する。
【０１３１】
したがって、セッション管理ネットワークエレメントは、アクセスデバイスのプロトコル機能指示情報をモビリティ管理ネットワークエレメントから取得してよい。
【０１３２】
本願の本実施形態はさらにセッション修正手順に適用可能、すなわち、セッション修正手順において、セッション管理ネットワークエレメントはアクセスデバイスのプロトコル機能指示情報を取得することに留意されたい。本願の本実施形態がセッション修正手順に適用可能な場合、段階１０３１におけるＮＡＳメッセージのセッション確立要求メッセージは、セッション修正要求メッセージと置き換えられてよい。
【０１３３】
例（２）：セッション管理ネットワークエレメントは、アクセスデバイスのプロトコル機能取得プロセスをトリガする。
【０１３４】
図９に示すように、第２の実現可能な実施例において、段階１０３は具体的には、以下の方式で実施されてよい。
【０１３５】
段階１０３３〜段階１０３５は、段階１０３０〜段階１０３２と同様である。詳細については、段階１０３０〜段階１０３２の説明を参照されたい。両者の違いは、段階１０３４及び段階１０３５は、アクセスデバイスのプロトコル機能指示情報を保持しないという点にある。
【０１３６】
段階１０３６：セッション管理ネットワークエレメントは、受信したＮ１１メッセージ若しくはローカルポリシーに基づいて、又はＰＣＦからのＰＣＣルールに従って、端末のサービスフロー用の高信頼性伝送を起動すると決定する。
【０１３７】
段階１０３７：セッション管理ネットワークエレメントは、機能取得要求メッセージをアクセスデバイスに送信する。機能取得要求メッセージは、アクセスデバイスのプロトコル機能指示情報を要求する。
【０１３８】
段階１０３８：アクセスデバイスは、モビリティ管理ネットワークエレメントを用いて、機能取得要求メッセージをセッション管理ネットワークエレメントから受信する。
【０１３９】
段階１０３９：アクセスデバイスは、アクセスデバイスのプロトコル機能指示情報をセッション管理ネットワークエレメントに送信する。
【０１４０】
具体的には、機能取得要求メッセージに応答して、アクセスデバイスは、モビリティ管理ネットワークエレメントを用いて、機能取得応答メッセージをセッション管理ネットワークエレメントに送信する。機能取得応答メッセージは、アクセスデバイスのプロトコル機能指示情報を保持する。
【０１４１】
したがって、セッション管理ネットワークエレメントは、アクセスデバイスのプロトコル機能指示情報をアクセスデバイスから取得してよい。
【０１４２】
方式２の説明は、一例としてセッション確立手順を用いて行われていることを理解されたい。本願の本実施形態がセッション修正手順に適用可能な場合、段階１０３３におけるＮＡＳメッセージ内のセッション確立要求メッセージは、セッション修正要求メッセージと置き換えられてよい。
【０１４３】
例（１）と例（２）との違いは、例（１）では、アクセスデバイスがプロトコル機能指示情報を頻繁に報告し、例（２）では、サービスフローパケット用に高信頼伝送を起動する必要があるとセッション管理ネットワークエレメントが判定した場合にだけ、アクセスデバイスがプロトコル機能指示情報を報告するという点にある。例（１）のアクセスデバイスによって頻繁に報告されるアクセスデバイスのプロトコル機能指示情報は、セッション管理ネットワークエレメントには無用な情報になり得る。例えば、セッション管理ネットワークエレメントが、トランスポート層を用いてサービスフローパケットの高信頼性伝送を実施すると決定した場合、すなわちセッション管理ネットワークエレメントがＮ３冗長トンネル伝送を起動する必要がない場合、セッション管理ネットワークエレメントは、アクセスデバイスのプロトコル機能指示情報を取得する必要がなくてもよい。
【０１４４】
例（３）：モビリティ管理ネットワークエレメントは、Ｎ２デバイス接続を確立するプロセスにおいて、アクセスデバイスのプロトコル機能指示情報を取得し、アクセスデバイスのプロトコル機能指示情報をセッション管理ネットワークエレメントに送信する。
【０１４５】
例（３）では、図１０に示すように、セッション管理ネットワークエレメントがアクセスデバイスのプロトコル機能指示情報を取得する段階は、２つの部分を含む。第１の部分において、モビリティ管理ネットワークエレメントは、アクセスデバイスのプロトコル機能指示情報を取得する。第２の部分において、モビリティ管理ネットワークエレメントは、アクセスデバイスのプロトコル機能指示情報をセッション管理ネットワークエレメントに送信する。
【０１４６】
第１の部分の場合、図１０に示すように、段階１０３の前に、本願の本実施形態で提供される方法はさらに、以下の段階を含む。
【０１４７】
段階２０１：アクセスデバイスがＮ２接続確立要求をモビリティ管理ネットワークエレメントに送信することにより、モビリティ管理ネットワークエレメントは、Ｎ２接続確立要求をアクセスデバイスから受信する。Ｎ２接続確立要求は、アクセスデバイスのプロトコル機能指示情報を保持する。
【０１４８】
段階２０２：モビリティ管理ネットワークエレメントは、アクセスデバイスのプロトコル機能指示情報を受信し、アクセスデバイスのプロトコル機能指示情報とアクセスデバイスの対応する識別子とを格納する。例えば、モビリティ管理ネットワークエレメントは、アクセスデバイス１の識別子を格納し、アクセスデバイス１がＧＴＰ−Ｕプロトコル拡張をサポートすることを格納する。
【０１４９】
第２の部分については、セッション確立手順が一例として用いられる。図１０に示すように、本方法はさらに、以下の段階を含む。
【０１５０】
段階２０３：端末は、ＡＳメッセージをアクセスデバイスに送信する。ＡＳメッセージは、ＮＡＳメッセージを保持する。ＮＡＳメッセージは、セッション識別子、セッション確立要求メッセージ、ＤＮＮ、及びＳ−ＮＳＳＡＩを保持する。
【０１５１】
段階２０４：アクセスデバイスは、Ｎ２メッセージをモビリティ管理ネットワークエレメントに送信する。Ｎ２メッセージは、段階２０３のＮＡＳメッセージ及び端末の位置情報などを保持する。
【０１５２】
段階２０５：モビリティ管理ネットワークエレメントは、Ｎ２メッセージに基づいて、アクセスデバイスの識別子を決定し、アクセスデバイスのプロトコル機能指示情報とアクセスデバイスの識別子との間の格納された対応関係に基づいて、端末によりアクセスされるアクセスデバイスのプロトコル機能指示情報を決定する。
【０１５３】
段階２０６：モビリティ管理ネットワークエレメントは、Ｎ１１メッセージをセッション管理ネットワークエレメントに送信する。Ｎ１１メッセージは、段階２０５のアクセスデバイスのプロトコル機能指示情報又はＮＡＳメッセージなどを保持する。
【０１５４】
したがって、本願の本実施形態の段階１０３は、以下の方式で実施されてよい。すなわち、セッション管理ネットワークエレメントは、Ｎ１１メッセージをモビリティ管理ネットワークエレメントから受信し、Ｎ１１メッセージから、端末によりアクセスされるアクセスデバイスのプロトコル機能指示情報を取得する。
【０１５５】
例（２）と同様に、モビリティ管理ネットワークエレメントは、セッション管理ネットワークエレメントにより送信されるプロトコル機能取得要求を受信した後に、アクセスデバイスのプロトコル機能指示情報もセッション管理ネットワークエレメントに送信してよいことに留意されたい。図１１Ａ及び図１１Ｂに示すように、具体的な変更例は次の通りである。
【０１５６】
段階２０６のＮ１１メッセージは、アクセスデバイスのプロトコル機能指示情報を保持しない。すなわち、段階２０６の後に、段階２０７〜段階２１０がさらに行われてよい。具体的には、段階２０７〜段階２１０の具体的な実装プロセスについては、段階１０３６〜段階１０３９の具体的な実装プロセスを参照されたい。詳細は、ここで再度説明しない。
【０１５７】
例（４）：セッション管理ネットワークエレメントは、アクセスデバイスのプロトコル機能指示情報をユーザプレーンネットワークエレメントから取得する。例（４）は２つの例を有し、これらの例はそれぞれ次の通りに説明される。
【０１５８】
例４−１：セッション管理ネットワークエレメントは、ネットワークエレメントディスカバリプロセスを用いて、アクセスデバイスのプロトコル機能を取得する。
【０１５９】
本願の本実施形態において、セッション管理ネットワークエレメントがネットワークエレメントディスカバリプロセスを用いてアクセスデバイスのプロトコル機能指示情報を取得するプロセスについては、図１２を参照されたい。図１２は、セッション管理ネットワークエレメントがアクセスデバイスのプロトコル機能指示情報を取得するプロセスだけを列挙していることを理解されたい。図１２は、前述の実施形態と組み合わせて用いられてよい。
【０１６０】
段階３０１：セッション管理ネットワークエレメントは、サブスクリプション要求をＮＲＦに送信する。サブスクリプション要求は、対象のユーザプレーンネットワークエレメントのプロビジョニング情報を保持する。
【０１６１】
段階３０２：ＮＲＦは、サブスクリプション通知をセッション管理ネットワークエレメントに送信する。サブスクリプション通知は、ユーザプレーンネットワークエレメントリストを保持する。ユーザプレーンネットワークエレメントリスト内のユーザプレーンネットワークエレメントが、段階３０１における対象のユーザプレーンネットワークエレメントのプロビジョニング情報内の条件を満たす。
【０１６２】
ＯＡＭがインスタンス化された場合、又は新たなユーザプレーンネットワークエレメントが展開された場合、ＯＡＭは、ユーザプレーンネットワークエレメントのプロビジョニング情報をＮＲＦ又は新たなユーザプレーンネットワークエレメントに設定してよい。
【０１６３】
ＯＡＭがユーザプレーンネットワークエレメントのプロビジョニング情報を新たなユーザプレーンネットワークエレメントに設定してよい場合、以下の段階が行われる。
【０１６４】
段階３０３：新たなユーザプレーンネットワークエレメントは登録要求をＮＲＦに送信する。登録要求は、ユーザプレーンネットワークエレメントのプロビジョニング情報を保持する。登録要求はさらに、ユーザプレーンネットワークエレメントに接続されるアクセスデバイスのプロトコル機能指示情報を保持する。その他に、登録要求はさらに、ユーザプレーンネットワークエレメントのプロトコル機能指示情報を保持する。
【０１６５】
ＯＡＭがユーザプレーンネットワークエレメントのプロビジョニング情報をＮＲＦに設定してよい場合、段階３０３が行われる必要がなくてもよい。
【０１６６】
段階３０４：ＮＲＦは、通知メッセージをセッション管理ネットワークエレメントに送信する。通知メッセージは、段階３０１において対象のユーザプレーンネットワークエレメントのプロビジョニング情報を満たすユーザプレーンネットワークエレメントリストを保持する。
【０１６７】
したがって、セッション管理ネットワークエレメントは、アクセスデバイスのプロトコル機能指示情報と、ユーザプレーンネットワークエレメントのプロトコル機能指示情報とを格納する。次のセッション管理手順において、本願の本実施形態の段階１０３は具体的には、以下の方式で実施されてよい。すなわち、セッション管理ネットワークエレメントは、端末によりアクセスされるアクセスデバイスの識別子を決定し、本例のセッション管理ネットワークエレメントに格納されているアクセスデバイスのプロトコル機能指示情報に基づいて、端末によりアクセスされるデバイスのプロトコル機能指示情報を決定してよい。さらに、セッション管理ネットワークエレメントは、ユーザプレーンネットワークエレメントを選択した後に、例４−１のセッション管理ネットワークエレメントに格納されたユーザプレーンネットワークエレメントのプロトコル機能に基づいて、サービスフローパケット転送サービスを端末に提供するユーザプレーンネットワークエレメントのプロトコル機能指示情報を決定してよい。
【０１６８】
例４−２：セッション管理ネットワークエレメントは、Ｎ４デバイス接続確立プロセスを用いて、アクセスデバイスのプロトコル機能指示情報を取得する。
【０１６９】
本願の本実施形態において、セッション管理ネットワークエレメントがＮ４デバイス接続確立プロセスを用いてアクセスデバイスのプロトコル機能指示情報を取得するプロセスについては、図１３を参照されたい。図１３は、セッション管理ネットワークエレメントがアクセスデバイスのプロトコル機能指示情報を取得するプロセスだけを列挙していることを理解されたい。図１３は、前述の実施形態と組み合わせて用いられてよい。
【０１７０】
段階４０１：ユーザプレーンネットワークエレメントは設定情報を有する。設定情報は、ユーザプレーンネットワークエレメントのプロトコル機能指示情報と、ユーザプレーンネットワークエレメントに接続された少なくとも１つのアクセスデバイスのプロトコル機能指示情報とを含む。
【０１７１】
段階４０２：セッション管理ネットワークエレメントは、Ｎ４接続確立要求（例えば、Ｎ４アソシエーションセットアップ要求）をユーザプレーンネットワークエレメントに送信する。Ｎ４接続を用いて、セッション管理ネットワークエレメントとユーザプレーンネットワークエレメントとの間のＮ４デバイス接続が確立される。
【０１７２】
段階４０３：ユーザプレーンネットワークエレメントは、Ｎ４接続確立応答をセッション管理ネットワークエレメントに送信する。Ｎ４接続確立応答は、ユーザプレーンネットワークエレメントのプロトコル機能指示情報と、段階４０１においてユーザプレーンネットワークエレメントに接続される少なくとも１つのアクセスデバイスのプロトコル機能指示情報とを保持する。
【０１７３】
したがって、ユーザプレーンネットワークエレメントへのＮ４デバイス接続を確立するプロセスにおいて、セッション管理ネットワークエレメントは、ユーザプレーンネットワークエレメントから、ユーザプレーンネットワークエレメントのプロトコル機能指示情報と、ユーザプレーンネットワークエレメントに接続されたアクセスデバイスのプロトコル機能指示情報とを取得してよい。次のセッション管理手順において、セッション管理ネットワークエレメントは、端末によりアクセスされるアクセスデバイスの識別子を決定し、本例のセッション管理ネットワークエレメントに格納されているアクセスデバイスのプロトコル機能指示情報に基づいて、端末によりアクセスされるデバイスのプロトコル機能指示情報を決定してよい。さらに、セッション管理ネットワークエレメントは、ユーザプレーンネットワークエレメントを選択した後に、本例のセッション管理ネットワークエレメントに格納されたユーザプレーンネットワークエレメントのプロトコル機能に基づいて、サービスフローパケット転送サービスを端末に提供するユーザプレーンネットワークエレメントのプロトコル機能指示情報を決定してよい。
【０１７４】
本願の本実施形態において、セッション管理ネットワークエレメントがユーザプレーンネットワークエレメントのプロトコル機能指示情報を取得する段階は、セッション管理ネットワークエレメントがユーザプレーンネットワークエレメントのプロトコル機能指示情報をユーザプレーンネットワークエレメントから取得する段階、又はセッション管理ネットワークエレメントがユーザプレーンネットワークエレメントのプロトコル機能指示情報をネットワークレポジトリ機能ＮＲＦから取得する段階を含む。
【０１７５】
具体的なプロセスについては、例（３）及び例（４）の説明を参照されたい。詳細は、ここで再度説明しない。
【０１７６】
アクセスデバイスは、ＮＧ確立要求をモビリティ管理ネットワークエレメントに送信する。ＮＧ確立要求は、アクセスデバイスのプロトコル機能指示情報を保持する。モビリティ管理ネットワークエレメントは、アクセスデバイスの識別子とアクセスデバイスのプロトコル機能との間のマッピング関係を、ＮＧ確立要求に基づいて格納する。モビリティ管理ネットワークエレメントは、ＮＧ確立応答をアクセスデバイスに送信する。
【０１７７】
セッション管理プロセスにおいて、モビリティ管理ネットワークエレメントは、端末の位置情報に基づいて、端末によりアクセスされるアクセスデバイスを決定する。次いで、モビリティ管理ネットワークエレメントは、アクセスデバイスの識別子とアクセスデバイスのプロトコル機能との間の格納されたマッピング関係に基づいて、アクセスデバイスのプロトコル機能指示情報を決定する。次いで、前述の段階４０３が実行される。例（５）：セッション管理ネットワークエレメントがトリガされる。
【０１７８】
セッション管理プロセスにおいて、セッション管理ネットワークエレメントが、ローカルポリシーに基づいて又はＰＣＦからのＰＣＣルールに従って、高信頼性伝送をサービスフローパケット用に起動する必要があると判定した場合、セッション管理ネットワークエレメントは、モビリティ管理ネットワークエレメントを用いて、機能取得要求メッセージをアクセスデバイスに送信する。機能取得要求メッセージに応答して、アクセスデバイスは、モビリティ管理ネットワークエレメントを用いて、機能取得応答メッセージをセッション管理ネットワークエレメントに送信する。機能取得応答メッセージは、アクセスデバイスのプロトコル機能指示情報を保持する。
【０１７９】
方式２と方式１との違いは、方式１では、アクセスデバイスがプロトコル機能指示情報を頻繁に報告するという点にある。方式２では、サービスフローパケット用に高信頼伝送を起動する必要があるとセッション管理ネットワークエレメントが判定した場合にだけ、アクセスデバイスはプロトコル機能指示情報を報告する。方式１では、アクセスデバイスにより頻繁に報告されるアクセスデバイスのプロトコル機能指示情報は、セッション管理ネットワークエレメントには無用な情報になり得る。例えば、冗長伝送を起動する必要がないとセッション管理ネットワークエレメントが判定した場合、セッション管理ネットワークエレメントは、アクセスデバイスのプロトコル機能指示情報を取得する必要がなくてもよい。
【０１８０】
方式３：セッション管理ネットワークエレメントは、アクセスデバイスのプロトコル機能指示情報をユーザプレーンネットワークエレメントから取得する。
【０１８１】
具体的なプロセスは次の通りである。段階（ａ１）：セッション管理ネットワークエレメントはサブスクリプション要求をＮＲＦに送信する。サブスクリプション要求は、対象のユーザプレーンネットワークエレメントのプロビジョニング情報を保持する。
【０１８２】
段階（ｂ１）：ＮＲＦは、サブスクリプション通知をセッション管理ネットワークエレメントに送信する。サブスクリプション通知は、ユーザプレーンネットワークエレメントリストを保持する。ユーザプレーンネットワークエレメントリスト内のユーザプレーンネットワークエレメントが、段階（ａ１）において、対象のユーザプレーンネットワークエレメントのプロビジョニング情報内の条件を満たす。
【０１８３】
段階（ｃ１）：ＯＡＭ又はユーザプレーンネットワークエレメントは、新たなユーザプレーンネットワークエレメントのインスタンスを展開する。ユーザプレーンネットワークエレメント又はＯＡＭは、ユーザプレーンネットワークエレメントを設定する。
【０１８４】
段階（ｄ１）：ＯＡＭ又はユーザプレーンネットワークエレメントは、ユーザプレーンネットワークエレメントの設定情報をＮＲＦに送信する。この場合、ＯＡＭ又はユーザプレーンネットワークエレメントはさらに、アクセスデバイスのプロトコル機能指示情報とユーザプレーンネットワークエレメントのプロトコル機能指示情報とをＮＲＦに送信してよい。
【０１８５】
段階（ｅ１）：ＮＲＦは、通知メッセージをセッション管理ネットワークエレメントに送信する。通知メッセージは、対象のユーザプレーンネットワークエレメントのプロビジョニング情報に適合したユーザプレーンリストを保持する。方式４：Ｎ３設定方式。
【０１８６】
ユーザプレーンネットワークエレメントは設定情報を有する。設定情報には、ユーザプレーンネットワークエレメントのプロトコル機能指示情報と、少なくとも１つのアクセスデバイスのプロトコル機能指示情報とが含まれる。セッション管理ネットワークエレメントは、Ｎ４接続確立要求をユーザプレーンネットワークエレメントに送信する。Ｎ４接続確立要求は、ユーザプレーンネットワークエレメントのプロトコル機能指示情報と、端末によりアクセスされるアクセスデバイスのプロトコル機能指示情報とを要求する。ユーザプレーンネットワークエレメントは、Ｎ４接続確立応答をセッション管理ネットワークエレメントに送信する。Ｎ４接続確立応答は、ユーザプレーンネットワークエレメントのプロトコル機能指示情報と、端末によりアクセスされるアクセスデバイスのプロトコル機能指示情報とを保持する。このように、ユーザプレーンネットワークエレメントへのＮ４接続を確立するプロセスにおいて、セッション管理ネットワークエレメントは、ユーザプレーンネットワークエレメントから、ユーザプレーンネットワークエレメントのプロトコル機能指示情報と、端末によりアクセスされるアクセスデバイスのプロトコル機能指示情報とを取得してよい。
【０１８７】
本願の本実施形態において、セッション管理ネットワークエレメントがユーザプレーンネットワークエレメントのプロトコル機能指示情報を取得する段階は、セッション管理ネットワークエレメントがユーザプレーンネットワークエレメントのプロトコル機能指示情報をユーザプレーンネットワークエレメントから取得する段階、又はセッション管理ネットワークエレメントがユーザプレーンネットワークエレメントのプロトコル機能指示情報をネットワークレポジトリ機能ＮＲＦから取得する段階を含む。
【０１８８】
具体的なプロセスいついては、前述の方式４及び方式３の説明を参照されたい。詳細は、ここで再度説明しない。
【０１８９】
アクセスデバイスのプロトコル機能指示情報とユーザプレーンネットワークエレメントのプロトコル機能指示情報とを取得するのに、どちらの方式がセッション管理ネットワークエレメントによって用いられるのかに関係なく、セッション管理ネットワークエレメントがアクセスデバイスのプロトコル機能指示情報とユーザプレーンネットワークエレメントのプロトコル機能指示情報を取得した後に、本願の本実施形態の段階１０２が以下の方式で実施されてよいことを理解されたい。
【０１９０】
これに対応して、図９〜図１１Ａ及び図１１Ｂのうちのいずれか１つに示すように、本願の本実施形態の段階１０２が以下の方式で実施されてよい。
【０１９１】
段階１０２１：セッション管理ネットワークエレメントは、アクセスデバイスのプロトコル機能指示情報、ユーザプレーンネットワークエレメントのプロトコル機能指示情報、及びトランスポートネットワーク機能リスト情報に基づいてユーザプレーン接続を管理する。
【０１９２】
実現可能な実施例において、段階１０２１は以下の方式で実施されてよい。すなわち、アクセスデバイス及びユーザプレーンネットワークエレメントが両方ともＧＴＰ−Ｕプロトコル拡張をサポートする場合、セッション管理ネットワークエレメントは、アクセスデバイスとユーザプレーンネットワークエレメントとの間に、ユーザプレーン接続として機能する少なくとも２つのＮ３トンネルを確立する。
【０１９３】
すなわち、アクセスデバイスがＧＴＰ−Ｕプロトコル拡張（これは、ＧＴＰ−Ｕ＋とも表されてよい）をサポートすることをアクセスデバイスのプロトコル機能指示情報が示し、且つユーザプレーンがＧＴＰ−Ｕプロトコル拡張をサポートすることをユーザプレーンネットワークエレメントのプロトコル機能指示情報が示す場合、セッション管理ネットワークエレメントは、ＧＴＰ−Ｕ層での冗長伝送、すなわち、図４に示すソリューションを実行すると決定してよい。
【０１９４】
すなわち、アクセスデバイス及びユーザプレーンネットワークエレメントが両方ともＧＴＰ−Ｕプロトコル拡張をサポートする場合、アクセスデバイスとユーザプレーンネットワークエレメントとの間のトランスポートネットワークが高信頼性伝送をサポートするかどうかに関係なく、セッション管理ネットワークエレメントは、ＧＴＰ−Ｕ層での冗長伝送を実行すると決定してよい。
【０１９５】
別の実現可能な実施例において、段階１０２１は以下の方式で実施されてよい。すなわち、トランスポートネットワークが高信頼性伝送をサポートする場合、セッション管理ネットワークエレメントは、アクセスデバイスとユーザプレーンネットワークエレメントとの間に、ユーザプレーン接続として機能する１つのＮ３トンネルを確立する。
【０１９６】
すなわち、トランスポートネットワークが高信頼性伝送をサポートする場合、アクセスデバイス及びユーザプレーンネットワークエレメントがＧＴＰ−Ｕプロトコル拡張をサポートするかどうかに関係なく、図５に示す、トランスポート層で冗長伝送を実行するソリューションが用いられてよい。
【０１９７】
さらに別の実現可能な実施例において、段階１０２１は以下の方式で実施されてよい。すなわち、トランスポートネットワークが高信頼性伝送をサポートし、且つアクセスデバイス及びユーザプレーンネットワークエレメントが両方ともＧＴＰ−Ｕプロトコル拡張をサポートする場合、セッション管理ネットワークエレメントは、ポリシー情報に基づいて、アクセスデバイスとユーザプレーンネットワークエレメントとの間に、ユーザプレーン接続として機能する少なくとも２つのＮ３トンネル又は１つのＮ３トンネルを確立すると決定する。
【０１９８】
すなわち、トランスポートネットワークが高信頼性伝送をサポートし、且つアクセスデバイス及びユーザプレーンネットワークエレメントが両方ともＧＴＰ−Ｕプロトコル拡張をサポートする場合、セッション管理ネットワークエレメントは、ポリシー情報に基づいて、図４に示すソリューション及び図５に示すソリューションのどちらのソリューションが用いられるかを判定してよい。
【０１９９】
例えば、ポリシー情報はセッション管理ネットワークエレメントに予め格納されてもよく、又はポリシー情報はセッション管理ネットワークエレメントによって別のネットワークエレメント（例えば、ＰＣＦネットワークエレメント）から取得されてもよい。これについては、本願の本実施形態において限定されない。
【０２００】
例えば、ポリシー情報は、トランスポート層で冗長伝送を実行する優先順位でも、またＧＴＰ−Ｕ層で冗長伝送を実行する優先順位でもよい。例えば、トランスポート層で冗長伝送を実行する優先順位が、ＧＴＰ−Ｕ層で冗長伝送を実行する優先順位より高いとするならば、トランスポートネットワークが高信頼性伝送をサポートする場合、アクセスデバイス及びユーザプレーンネットワークエレメントが両方ともＧＴＰ−Ｕプロトコル拡張をサポートするとしても、セッション管理ネットワークエレメントは依然として、アクセスデバイスとユーザプレーンネットワークエレメントとの間に、ユーザプレーン接続として機能する１つのＮ３トンネルを確立すると決定する。すなわち、アクセスデバイス及びユーザプレーンネットワークエレメントは、トランスポート層で冗長伝送を実行して、サービスフローパケットの高信頼伝送を実施する。
【０２０１】
トランスポートネットワークが高信頼性伝送をサポートせず、且つアクセスデバイス又はユーザプレーンネットワークエレメントがＧＴＰ−Ｕプロトコル拡張をサポートしないことをトランスポートネットワーク機能リストの指示情報が示す場合、セッション管理ネットワークエレメントはユーザプレーン接続の確立を拒否すると決定してよいことに留意されたい。言い換えれば、セッション管理ネットワークエレメントはセッション管理を拒否する。
【０２０２】
以下の表２に示すように、表２は、様々な場合においてセッション管理ネットワークエレメントにより選択される高信頼性伝送ソリューションを示す。
【表２】
2021517376.tif 000004
【０２０３】
別の例では、少なくとも１つのアクセスデバイスのそれぞれと少なくとも１つのユーザプレーンネットワークエレメントとの間のトランスポートネットワークが高信頼性伝送をサポートするかどうかを、トランスポートネットワーク機能リスト情報が示す場合、図１４に示すように、段階１０２の前に、本願の本実施形態で提供される方法はさらに、以下の段階を含む。段階１０４：セッション管理ネットワークエレメントは、端末の位置情報を取得する。
【０２０４】
具体的には、端末がセッション管理を開始するプロセスにおいて、セッション管理ネットワークエレメントは、端末の位置情報をモビリティ管理ネットワークエレメントから取得してよい。端末の位置情報は、少なくとも１つのアクセスデバイスのうち、端末のアクセスデバイスを決定するのに用いることができる。例えば、端末の位置情報は、アクセスデバイスの識別子で表されてよい。
【０２０５】
段階１０５：セッション管理ネットワークエレメントは、端末の位置情報とトランスポートネットワーク機能リスト情報とに基づいて、トランスポートネットワークの高信頼性伝送をサポートするユーザプレーンネットワークエレメントをトランスポートネットワークリスト情報から選択する。段階１０５で選択されるユーザプレーンネットワークエレメントは、Ｎ３トンネルを確立するように構成されることを理解されたい。
【０２０６】
段階１０４及び段階１０５が行われた後に、段階１０２が以下の方式で実施されてよいことを理解されたい。すなわち、セッション管理ネットワークエレメントは、端末によりアクセスされるアクセスデバイスと、トランスポートネットワークの高信頼性伝送をサポートするユーザプレーンネットワークエレメントとの間に、ユーザプレーン接続として機能する１つのＮ３トンネルを確立すると決定する。
【０２０７】
具体的には、セッション管理ネットワークエレメントは、端末の位置情報に基づいて、端末にアクセスサービスを提供するアクセスデバイスを決定し、トランスポートネットワーク機能リスト情報に基づいて、当該アクセスデバイスと関連する少なくとも１つのトランスポートネットワークを決定する。次いで、高信頼性伝送をサポートするトランスポートネットワークが、少なくとも１つのトランスポートネットワークにおいて決定される。次いで、高信頼性伝送をサポートするトランスポートネットワークにおける、対応するユーザプレーンネットワークエレメントが、Ｎ３トンネルを確立するのに用いられるユーザプレーンネットワークエレメントとして決定される。セッション管理ネットワークエレメントが端末の位置情報に基づいて、アクセスデバイスと関連する複数のトランスポートネットワークが存在し、複数のトランスポートネットワークが全て高信頼性伝送をサポートすると判定した場合、セッション管理ネットワークエレメントは、複数のトランスポートネットワークのうちの任意のトランスポートネットワークにおいてユーザプレーンネットワークエレメントを選択し、選択したユーザプレーンネットワークエレメントを、Ｎ３トンネルを確立するのに用いられるユーザプレーンネットワークエレメントとして決定してよいことに留意されたい。当然ながら、複数のトランスポートネットワークのそれぞれが優先順位を有する場合、セッション管理ネットワークエレメントは、高い優先順位を有するトランスポートネットワーク内のユーザプレーンネットワークエレメントを、Ｎ３トンネルを確立するのに用いられるユーザプレーンネットワークエレメントとして用いてよい。
【０２０８】
この場合、段階１０２は以下の方式で実施されてよいことを理解されたい。すなわち、セッション管理ネットワークエレメントは、アクセスデバイスとユーザプレーンネットワークエレメントとの間に、ユーザプレーン接続として機能する１つのＮ３トンネルを確立する。例えば、表３に示すように、表３はトランスポートネットワーク機能リスト情報を示す。
【表３】
2021517376.tif 000005
【０２０９】
具体的には、セッション管理ネットワークエレメントは、端末の位置情報に基づいて、端末により現在アクセスされている基地局がＲＡＮ１であると決定する。次いで、セッション管理ネットワークエレメントは、表２に示すトランスポートネットワーク機能リスト情報に基づいて、ＲＡＮ１に関連するトランスポートネットワークにはトランスポートネットワーク１及びトランスポートネットワーク３が含まれることを把握する。トランスポートネットワーク１は高信頼性伝送をサポートし、トランスポートネットワーク３は高信頼性伝送をサポートしない。この場合、セッション管理ネットワークエレメントは、Ｎ３トンネルを確立するユーザプレーンネットワークエレメントとして、トランスポートネットワーク１のＵＰＦ１を選択すると決定してよい。
【０２１０】
段階１０４及び段階１０５は主に、高信頼性伝送をサポートするトランスポートネットワーク内のユーザプレーンネットワークエレメントが、トランスポートネットワークが高信頼性伝送をサポートするときに選択され得る場合を説明している。しかしながら、実際のプロセスでは、トランスポートネットワークが高信頼性伝送をサポートしない可能性がある。したがって、別の任意選択の実施形態では、図１５に示すように、本願の本実施形態で提供される方法はさらに、以下の段階を含む。
【０２１１】
段階１０６：セッション管理ネットワークエレメントは、アクセスデバイスのプロトコル機能指示情報を取得する。
【０２１２】
段階１０６のアクセスデバイス及び段階１０７のアクセスデバイスは両方とも、端末によりアクセスされるアクセスデバイスであることを理解されたい。
【０２１３】
具体的には、段階１０６の具体的な実装については、前述の実施形態において、セッション管理ネットワークエレメントがアクセスデバイスのプロトコル機能指示情報を取得するプロセスを参照されたい。詳細は、ここで再度説明しない。
【０２１４】
段階１０７：セッション管理ネットワークエレメントは、アクセスデバイスのプロトコル機能指示情報とトランスポートネットワーク機能リスト情報とに基づいて、ユーザプレーンネットワークエレメントを決定する。
【０２１５】
実現可能な実施例において、本願の本実施形態の段階１０７は具体的には、以下の方式で実施されてよい。すなわち、トランスポートネットワークの高信頼性伝送をサポートするユーザプレーンネットワークエレメントが１つもなく、且つアクセスデバイスがＧＴＰ−Ｕプロトコル拡張をサポートすることをトランスポートネットワーク機能リスト情報が示す場合、セッション管理ネットワークエレメントが、ＧＴＰ−Ｕプロトコル拡張をサポートするユーザプレーンネットワークエレメントをユーザプレーンネットワークエレメントとして決定する。段階１０６及び段階１０７においてセッション管理ネットワークエレメントにより最終的に選択されるユーザプレーンネットワークエレメントの間に、少なくとも２つのＮ３トンネルが確立されることを理解されたい。
【０２１６】
具体的には、セッション管理ネットワークエレメントは、端末の位置情報に基づいてトランスポートネットワーク機能リスト情報から、アクセスデバイスと関連する少なくとも１つのトランスポートネットワークを決定する。少なくとも１つのトランスポートネットワークには高信頼性伝送をサポートするトランスポートネットワークが１つもないとセッション管理ネットワークエレメントが判定したとするならば、アクセスデバイスがＧＴＰ−Ｕプロトコル拡張をサポートする場合、セッション管理ネットワークエレメントは、ＧＴＰ−Ｕプロトコル拡張をサポートするユーザプレーンネットワークエレメントをユーザプレーンネットワークエレメントとして選択してよい。
【０２１７】
少なくとも１つのトランスポートネットワークには高信頼性伝送をサポートするトランスポートネットワークが１つもないとセッション管理ネットワークエレメントが判定した場合、セッション管理ネットワークエレメントは代替的に、アクセスデバイスがＧＴＰ−Ｕプロトコル拡張をサポートし、且つＧＴＰ−Ｕプロトコル拡張をサポートするユーザプレーンネットワークエレメントが１つもないときに、ユーザプレーン接続の確立を拒否してよいことに留意されたい。例えば、表４に示すように、表４はトランスポートネットワーク機能リスト情報を示す。
【表４】
2021517376.tif 000006
【０２１８】
例えば、表４において、トランスポートネットワーク１及びトランスポートネットワーク３は、高信頼性伝送をサポートしない。セッション管理ネットワークエレメントにより取得されるＲＡＮプロトコル機能指示情報が、ＲＡＮがＧＴＰ−Ｕプロトコル拡張をサポートすることを示す。セッション管理ネットワークエレメントにより取得されるＵＰＦプロトコル機能指示情報は次の通りである。すなわち、ＵＰＦネットワークエレメント１がＧＴＰ−Ｕプロトコル拡張をサポートし、ＵＰＦネットワークエレメント２及びＵＰＦネットワークエレメント３がＧＴＰ−Ｕプロトコル拡張をサポートしない。
【０２１９】
セッション管理ネットワークエレメントは、端末の位置情報に基づいて、端末が現在ＲＡＮ１にアクセスしていると判定する。表３を参照して、セッション管理ネットワークエレメントは、ＲＡＮ１に関連するトランスポートネットワークがトランスポートネットワーク１及びトランスポートネットワーク３であるが、トランスポートネットワーク３もトランスポートネットワーク１も高信頼性伝送をサポートしないと判定する。したがって、セッション管理ネットワークエレメントは、これらのトランスポートネットワークの中で、トランスポートネットワークの高信頼性伝送をサポートするユーザプレーンネットワークエレメントを決定できない。さらに、セッション管理ネットワークエレメントは、段階１０３におけるアクセスデバイスのプロトコル機能指示情報を取得する方式に基づいて、ＲＡＮ１のプロトコル機能指示情報を取得してよい。ＲＡＮ１がＧＴＰ−Ｕプロトコル拡張をサポートするとすれば、セッション管理ネットワークエレメントは、ＧＴＰ−Ｕプロトコル拡張をサポートするＵＰＦを選択する。例えば、ＵＰＦ１がＧＴＰ−Ｕプロトコル拡張をサポートするとすれば、セッション管理ネットワークエレメントによって最終的に選択されるユーザプレーンネットワークエレメントがＵＰＦ１である。
【０２２０】
例えば、表４において、ＲＡＮ１がＧＴＰ−Ｕプロトコル拡張をサポートし、トランスポートネットワーク３もトランスポートネットワーク１も高信頼性伝送をサポートせず、且つＵＰＦネットワークエレメント１もＵＰＦネットワークエレメント３もＧＴＰ−Ｕプロトコル拡張をサポートしない場合、セッション管理ネットワークエレメントは、ユーザプレーン接続の確立を拒否すると決定してよい。
【０２２１】
実現可能な実施例において、トランスポートネットワークが高信頼性伝送をサポートせず、且つアクセスデバイスがＧＴＰ−Ｕプロトコル拡張をサポートしないことをトランスポートネットワーク機能リスト情報が示す場合、セッション管理ネットワークエレメントは、ユーザプレーン接続の確立を拒否すると決定する。この場合、アクセスデバイスは、端末によりアクセスされるアクセスデバイスのことを指す。
【０２２２】
トランスポートネットワークが高信頼性伝送をサポートせず、且つ端末によりアクセスされるアクセスデバイスがＧＴＰ−Ｕプロトコル拡張をサポートしない場合、セッション管理ネットワークエレメントは、端末によりアクセスされるアクセスデバイスが複数のユーザプレーンネットワークエレメントに接続され、且つ複数のユーザプレーンネットワークエレメントの全てがこの場合にＧＴＰ−Ｕプロトコル拡張をサポートするとしても、ユーザプレーン接続の確立を拒否すると決定してよいことを理解されたい。
【０２２３】
さらに表４を参照すると、セッション管理ネットワークエレメントにより取得されるＲＡＮプロトコル機能が、ＧＴＰ−Ｕプロトコル拡張がサポートされていないということである場合。セッション管理ネットワークエレメントは、端末の位置に基づいて、端末が現在ＲＡＮ１にアクセスしていると判定する。セッション管理ネットワークエレメントは、表３に示す情報に基づいて、ＲＡＮ１と関連するトランスポートネットワークにはトランスポートネットワーク１とトランスポートネットワーク３とが含まれると判定してよい。トランスポートネットワーク１もトランスポートネットワーク３も高信頼性伝送をサポートしない。次いで、さらに、セッション管理ネットワークエレメントは、段階１０３におけるアクセスデバイスのプロトコル機能指示情報を取得する方式に基づいて、ＲＡＮ１のプロトコル機能指示情報を取得してよい。ＲＡＮ１がＧＴＰ−Ｕプロトコル拡張をサポートしないとすれば、セッション管理ネットワークエレメントは、ユーザプレーン接続の確立を拒否すると決定する。
【０２２４】
アクセスデバイスとユーザプレーンネットワークエレメントとの間に少なくとも２つのＮ３トンネルを確立するとセッション管理ネットワークエレメントが決定した場合、すなわち、アクセスデバイス及びユーザプレーンネットワークエレメントが両方ともＧＴＰ−Ｕプロトコル拡張をサポートする場合、図１６に示すように、本願の本実施形態で提供される方法はさらに、以下の段階を含む。
【０２２５】
段階１０８：セッション管理ネットワークエレメントは、第１の指示をアクセスデバイスとユーザプレーンネットワークエレメントとに送信する。第１の指示は、アクセスデバイスが端末のサービスフローパケットをＧＴＰ−Ｕ層で複製し、且つ複製したサーブフローパケットをＧＴＰ−Ｕ層で削除することを示し、またユーザプレーンネットワークエレメントが端末のサービスフローパケットをＧＴＰ−Ｕ層で複製し、且つ複製したサーブフローパケットをＧＴＰ−Ｕ層で削除することを示す。
【０２２６】
その他に、セッション管理ネットワークエレメントはさらに、少なくとも２つのＮ３トンネルのトンネル情報をアクセスデバイス及びユーザプレーンネットワークエレメントに送信してよいので、アクセスデバイス／ユーザプレーンネットワークエレメントは、少なくとも２つのＮ３トンネルのトンネル情報により示される少なくとも２つのＮ３トンネルを用いて、サービスフローパケットと、その複製の後に取得されるサービスフローパケットを伝送すると決定する。
【０２２７】
段階１０８で説明されるプロセスについては、先行技術の説明を参照されたい。詳細は、ここで説明しない。
【０２２８】
段階１０９：アクセスデバイス又はユーザプレーンネットワークエレメントは、第１の指示をセッション管理ネットワークエレメントから受信する。
【０２２９】
段階１１０：アクセスデバイス又はユーザプレーンネットワークエレメントは、第１の指示に従って、少なくとも２つのＮ３トンネルで受信した、端末のサービスフローパケットに対して複製検出を行う。複製検出には、複製と削除が含まれる。具体的には、少なくとも２つのＮ３トンネルで受信したサービスフローパケットが複製のサービスフローパケット又はバッファリングされたサービスフローパケットの複製である場合、アクセスデバイス又はユーザプレーンネットワークエレメントは、複製のサービスフローパケットを破棄してよい。
【０２３０】
少なくとも２つのＮ３トンネルがセッション管理ネットワークエレメントにより確立された場合、セッション管理ネットワークエレメントはさらに、少なくとも２つのＮ３トンネルのトンネル情報をアクセスデバイス及びユーザプレーンネットワークエレメントに送信してよいので、アクセスデバイス／ユーザプレーンネットワークエレメントは、少なくとも２つのＮ３トンネルのトンネル情報で示される少なくとも２つのＮ３トンネルを用いて、ＧＴＰ−Ｕ層で複製されたサービスフローパケットと、その複製の後に取得されるサービスフローパケットとを伝送すると決定することに留意されたい。その他に、アクセスデバイス／ユーザプレーンネットワークエレメントはさらに、複製したサービスフローパケットとその複製の後に取得されるサービスフローパケットとに対して複製検出を行ってよい。複製されたサービスフローパケットとその複製の後に取得されるサービスフローパケットとは、少なくとも２つのＮ３トンネルのトンネル情報により示される少なくとも２つのＮ３トンネルで受信される。
【０２３１】
セッション管理ネットワークエレメントが、アクセスデバイスとユーザプレーンネットワークエレメントとの間に１つのＮ３トンネルを確立すると決定した場合、本願の本実施形態において、セッション管理ネットワークエレメントは、アクセスデバイスとユーザプレーンネットワークエレメントとの間に１つのＮ３トンネルを確立してよく、すなわち、ユーザプレーンネットワークエレメント及びアクセスデバイスを示して冗長なトンネル情報を割り当てる必要がない。同様に、ＵＰＦ／ＲＡＮは、サービスフローパケット又は複製したサービスフローパケットに対して複製検出を行うよう命令される必要はない。
【０２３２】
セッション管理ネットワークエレメントが、アクセスデバイスとユーザプレーンネットワークエレメントとの間に１つのＮ３トンネルを確立すると決定した場合、本願の本実施形態において、セッション管理ネットワークエレメントは、ユーザプレーンネットワークエレメント及びアクセスデバイスを示して冗長なトンネル情報を割り当てる必要がなくてよい。同様に、ＵＰＦ／ＲＡＮは、サービスフローパケット又は複製したサービスフローパケットに対して複製検出を行うよう命令される必要はない。
【０２３３】
セッション管理ネットワークエレメントがユーザプレーン接続の確立を拒否すると決定した場合、図１７に示すように、本願の本実施形態で提供される方法はさらに、以下の段階を含む。
【０２３４】
段階１１１：トランスポートネットワークが高信頼性伝送をサポートせず、且つアクセスデバイス又はユーザプレーンネットワークエレメントのうちのいずれか一方又は両方がＧＴＰ−Ｕプロトコル拡張をサポートしないことをトランスポートネットワーク機能リスト情報が示す場合、セッション管理ネットワークエレメントは、ユーザプレーン接続の確立を拒否することを示す指示情報を端末に送信する。これにより、端末は、ネットワーク側がユーザプレーン接続の確立を拒否することをタイムリーに把握できるようになる。
【０２３５】
段階１１２：端末は、セッション管理ネットワークエレメントから送られた、ユーザプレーン接続の確立を拒否することを示す指示情報を受信する。
【０２３６】
セッション管理ネットワークエレメントはさらに、ユーザプレーン接続の確立を拒否する原因値を、ユーザプレーンネットワークエレメント及びアクセスデバイスに送信してよいことを理解されたい。
【０２３７】
実現可能な実施例において、本願の本実施形態の段階１０１では、セッション管理ネットワークエレメントがトランスポートネットワーク機能リスト情報を取得する段階は、具体的には以下の方式で実施されてよい。
【０２３８】
例（６）。トランスポートネットワーク機能リスト情報は、セッション管理ネットワークエレメントに事前設定される。
【０２３９】
ＯＡＭは、トランスポートネットワーク機能リスト情報をセッション管理ネットワークエレメントに設定する。セッション管理プロセスにおいて、セッション管理ネットワークエレメントは、端末によりアクセスされるアクセスデバイスと、セッション管理ネットワークエレメントが端末用に選択したユーザプレーンネットワークエレメントとに基づいて、端末によりアクセスされるアクセスデバイスと選択したユーザプレーンネットワークエレメントとの間の対象のトランスポートネットワークを決定してよい。さらに、セッション管理ネットワークエレメントは、対象のトランスポートネットワークの識別子に基づいて、対象のトランスポートネットワークのプロトコル機能情報を、事前設定したトランスポートネットワーク機能リスト情報から取得する。トランスポートネットワーク機能リスト情報は、トランスポートネットワークが高信頼性伝送をサポートするかどうかを示すことを理解されたい。
【０２４０】
例えば、トランスポートネットワーク機能リスト情報は、トランスポートネットワーク１（アクセスデバイス１とユーザプレーンネットワークエレメント１との間のトランスポートネットワーク）のプロトコル機能指示情報、トランスポートネットワーク２（アクセスデバイス１とユーザプレーンネットワークエレメント２との間のトランスポートネットワーク）の機能、及びトランスポートネットワーク３（アクセスデバイス２とユーザプレーンネットワークエレメント１との間のトランスポートネットワーク）の機能を含む。端末がアクセスデバイス１にアクセスし、セッション管理プロセスにおいて端末用に選択したユーザプレーンネットワークエレメントがユーザプレーンネットワークエレメント１であると、セッション管理ネットワークエレメントが決定した場合、セッション管理ネットワークエレメントは、対象のトランスポートネットワークがトランスポートネットワーク１であると判定し、さらに、トランスポートネットワーク１の機能をトランスポートネットワーク機能リスト情報で決定してよい。
【０２４１】
例（７）。セッション管理ネットワークエレメントは、トランスポートネットワーク機能リスト情報をＮＲＦ又はユーザプレーンネットワークエレメントから取得する。
【０２４２】
例えば、ＮＲＦは、トランスポートネットワーク機能リスト情報を、ユーザプレーンネットワークエレメントにより送信される登録要求から取得しても、ＯＡＭから取得してもよい。さらに、セッション管理ネットワークエレメントは、トランスポートネットワーク機能リスト情報を、ネットワークエレメントディスカバリ段階でＮＲＦから取得する。
【０２４３】
例えば、Ｎ４デバイス接続を確立するプロセスにおいて、セッション管理ネットワークエレメントは、トランスポートネットワーク機能リスト情報をユーザプレーンネットワークエレメントから取得する。セッション管理プロセスにおいて、セッション管理ネットワークエレメントは、端末によりアクセスされるアクセスデバイスと、セッション管理ネットワークエレメントにより選択されるユーザプレーンネットワークエレメントとに基づいて、対象のトランスポートネットワークを決定し、取得したトランスポートネットワーク機能リスト情報に基づいて、当該トランスポートネットワークに対応するトランスポートネットワーク機能を決定する。
【０２４４】
前述までのところでは、本願の本実施形態におけるソリューションを、主にネットワークエレメント間のやり取りの視点から説明した。前述の機能を実装するために、セッション管理ネットワークエレメント、ユーザプレーンネットワークエレメント、及びアクセスデバイスなどのネットワークエレメントはそれぞれ、各機能を実行するための対応するハードウェア構造及び／又はソフトウェアモジュールを含むことが理解されるであろう。当業者であれば、本明細書で開示された実施形態において説明された例と組み合わせて、ユニット及びアルゴリズム段階が、本願のハードウェア又はハードウェアとコンピュータソフトウェアとの組み合わせによって実装されてよいことを容易に認識するはずである。ある機能がハードウェアで実行されるのか、又はコンピュータソフトウェアで動くハードウェアで実行されるのかは、技術的解決手段の特定の用途及び設計上の制約条件で決まる。当業者であれば、異なる方法を用いて、説明した機能を特定の用途ごとに実装するかもしれないが、そのような実施例が本願の範囲を超えるものとみなされるべきではない。
【０２４５】
本願の実施形態において、セッション管理ネットワークエレメント、ユーザプレーンネットワークエレメント、及びアクセスデバイスは、前述の方法の例に基づいて、複数の機能ユニットに分割されてよい。例えば、各機能ユニットは、対応する機能に基づく分割によって取得されてもよく、又は２つ以上の機能が１つの処理ユニットに統合されてもよい。統合されたユニットは、ハードウェアの形態で実装されてもよく、又はソフトウェア機能ユニットの形態で実装されてもよい。本願の本実施形態において、ユニットの分割は例示的な方式で行われ、単なる論理的な機能分割に過ぎないことに留意されたい。実際の実装においては、別の分割方式が用いられてもよい。
【０２４６】
前述までのところでは、本願の実施形態における方法を図７〜図１７を参照して説明した。以下では、本願の一実施形態で提供される、前述の方法を実行する伝送装置を説明する。当業者であれば、本方法と本装置とが相互に組み合わされ、また参照されてよいことを理解するであろう。本願の本実施形態で提供される伝送装置は、前述の通信方法における送信側によって行われる方法、すなわち、セッション管理ネットワークエレメントによって行われる段階を実行してよい。別の伝送装置が、前述の実施形態の通信方法における受信側によって行われる方法、すなわち、アクセスデバイスによって行われる段階を実行してよい。さらに別の伝送装置が、前述の実施形態の通信方法における受信側によって行われる方法、すなわち、ユーザプレーンネットワークエレメントによって行われる段階を実行してよい。
【０２４７】
以下では、機能モジュールを対応する機能に基づいて分割する一例を用いることで、説明が行われる。
【０２４８】
図１８は、本願の一実施形態による伝送装置の概略構造図である。伝送装置は、本願の本実施形態におけるセッション管理ネットワークエレメント、ユーザプレーンネットワークエレメント、及びアクセスデバイスのうちのいずれか１つでもよく、セッション管理ネットワークエレメントに適用されるチップでもよく、ユーザプレーンネットワークエレメント内のチップでもよく、アクセスデバイス内のチップでもよい。伝送装置は、処理ユニット１０１と通信ユニット１０２とを含む。通信ユニット１０２は、情報を送信する又は受信する段階を行う際に、伝送装置をサポートするように構成される。処理ユニット１０１は、情報を処理する段階を行う際に、伝送装置をサポートするように構成される。
【０２４９】
伝送装置がセッション管理ネットワークエレメント又はセッション管理ネットワークエレメントに適用されるチップ若しくはチップシステムである一例において、通信ユニット１０２は、前述の実施形態の段階１０１を行う際に、伝送装置をサポートするように構成される。処理ユニット１０１は、前述の実施形態の段階１０２を行う際に、伝送装置をサポートするように構成される。
【０２５０】
実現可能な実施形態において、通信ユニット１０２はさらに、前述の実施形態の段階１０３、段階１０３７、段階３０１、段階４０２、段階１０４、段階１０６、及び段階１０８を行う際に、伝送装置をサポートするように構成される。処理ユニット１０１はさらに、前述の実施形態の段階１０３６、段階１０２１、段階１０５、及び段階１０７を行う際に、伝送装置をサポートするように構成される。
【０２５１】
別の例において、伝送装置はアクセスデバイスであるか、又はアクセスデバイスに適用されるチップ若しくはチップシステムである。この場合、通信ユニット１０２は、前述の実施形態の段階１０９を行う際に、伝送装置をサポートするように構成される。
【０２５２】
実現可能な実施形態において、通信ユニット１０２はさらに、前述の実施形態の段階１０３１、段階１０３４、段階１０３８、段階１０３９、段階２０１、及び段階２０４を行う際に、伝送装置をサポートするように構成される。処理ユニット１０１は、前述の実施形態の段階１１０を行う際に、伝送装置をサポートするように構成される。
【０２５３】
伝送装置がアクセスデバイスであるか、又はアクセスデバイスに適用されるチップ若しくはチップシステムである場合、処理ユニット１０１は任意選択のユニットであることを理解されたい。
【０２５４】
実現可能な実施形態において、伝送装置はさらに、記憶ユニット１０３を含んでよい。処理ユニット１０１、通信ユニット１０２、及び記憶ユニット１０３は、通信バスを用いて接続される。
【０２５５】
記憶ユニット１０３は、１つ又は複数のメモリを含んでよい。メモリは、プログラム又はデータを１つ又は複数のデバイス若しくは回路に格納するように構成されたコンポーネントでよい。
【０２５６】
記憶ユニット１０３は、独立して存在してもよく、通信バスを用いて伝送装置の処理ユニット１０１に接続される。記憶ユニット１０３は代替的に、処理ユニットと一体化されてもよい。
【０２５７】
伝送装置は、通信デバイス、回路、ハードウェアアセンブリ、又はチップに用いられてよい。
【０２５８】
例えば、伝送装置は、本願の実施形態において、セッション管理ネットワークエレメントのチップ又はチップシステムでも、アクセスデバイスのチップ又はチップシステムでもよい。この場合、通信ユニット１０２は、入力／出力インタフェース、ピン、又は回路などでもよい。例えば、記憶ユニット１０３は、セッション管理ネットワークエレメント側での方法及びアクセスデバイス側での方法において、コンピュータ実行可能命令を格納してよく、その結果、処理ユニット１０１は、前述の実施形態におけるセッション管理ネットワークエレメント側での方法及びアクセスデバイス側での方法を実行する。記憶ユニット１０３は、レジスタ、キャッシュ、又はＲＡＭなどでもよい。記憶ユニット１０３は、処理ユニット１０１と共に統合されてよい。記憶ユニット１０３は、静的な情報及び命令を格納できるＲＯＭでも別のタイプの静的記憶装置でもよく、また記憶ユニット１０３は処理ユニット１０１から独立してもよい。
【０２５９】
本願の一実施形態が伝送装置を提供する。伝送装置は、段階１０１〜段階１１２における方法を実施するように構成された１つ又は複数のモジュールを含む。１つ又は複数のモジュールは、段階１０１〜段階１１２における方法の段階に対応してよい。具体的には、本願の本実施形態では、セッション管理ネットワークエレメントにより行われる方法の段階ごとに、方法の各段階を行うためのユニット又はモジュールがセッション管理ネットワークエレメント内にある。アクセスデバイスにより行われる方法の段階ごとに、方法の各段階を行うためのユニット又はモジュールがアクセスデバイス内にある。例えば、伝送装置の動作を制御又は処理するモジュールが、処理モジュールと呼ばれてよく、また伝送装置側でメッセージ又はデータを処理する段階を行うモジュールが通信モジュールと呼ばれてよい。
【０２６０】
例えば、エンティティ装置を用いて実装される場合、図１８に示す伝送装置の処理ユニット１０１は、図６に示すプロセッサ４１でも処理４５でもよく、通信ユニット１０２は図６に示す通信インタフェース４３でよく、記憶ユニット１０３はメモリ４２でよい。具体的には、図６において、例えば、通信デバイスはセッション管理ネットワークエレメント又はセッション管理ネットワークエレメントに適用されるチップである。この場合、通信インタフェース４３は、前述の実施形態の段階１０１を行う際に、伝送装置をサポートするように構成される。プロセッサ４１又はプロセッサ４５は、前述の実施形態の段階１０２を行う際に、伝送装置をサポートするように構成される。
【０２６１】
実現可能な実施形態において、通信インタフェース４３はさらに、前述の実施形態の段階１０３、段階１０３７、段階３０１、段階４０２、段階１０４、段階１０６、及び段階１０８を行う際に、図６に示す通信デバイスをサポートするように構成される。プロセッサ４１又はプロセッサ４５はさらに、前述の実施形態の段階１０３６、段階１０２１、段階１０５、及び段階１０７を行う際に、図６に示す通信デバイスをサポートするように構成される。
【０２６２】
別の例において、伝送装置はアクセスデバイスでも、アクセスデバイスに適用されるチップ又はチップシステムでもよい。この場合、通信インタフェースは、前述の実施形態の段階１０６を行う際に、図６に示す通信デバイスをサポートするように構成される。プロセッサ４１又はプロセッサ４５は、前述の実施形態の段階１０５を行う際に、伝送装置をサポートするように構成される。
【０２６３】
実現可能な実施形態において、通信インタフェース４３はさらに、前述の実施形態の段階１０９を行う際に、図６に示す通信デバイスをサポートするように構成される。プロセッサ４１又はプロセッサ４５は、前述の実施形態の段階１１０を行う際に、図６に示す通信デバイスをサポートするように構成される。実現可能な実施形態において、通信インタフェース４３はさらに、前述の実施形態の段階１０３１、段階１０３４、段階１０３８、段階１０３９、段階２０１、及び段階２０４を行う際に、図６に示す通信デバイスをサポートするように構成される。
【０２６４】
図１９は、本発明の一実施形態によるチップ１５０の概略構造図である。チップ１５０は、１つ又は複数のプロセッサ１５１０と、１つ又は複数の通信インタフェース１５３０とを含む。
【０２６５】
実現可能な実施形態において、図１９に示すチップ１５０はさらに、メモリ１５４０を含む。メモリ１５４０は、リードオンリメモリとランダムアクセスメモリとを含み、オペレーション命令とデータとをプロセッサ１５１０に提供してよい。メモリ１５４０の一部がさらに、不揮発性ランダムアクセスメモリ（ｎｏｎ−ｖｏｌａｔｉｌｅ  ｒａｎｄｏｍ  ａｃｃｅｓｓ  ｍｅｍｏｒｙ、ＮＶＲＡＭ）を含んでよい。
【０２６６】
いくつかの実施例において、メモリ１５４０は、実行可能モジュール若しくはデータ構造体、又はそのサブセット、又はその拡張セットといったエレメントを格納する。
【０２６７】
本発明の本実施形態において、対応するオペレーションが、メモリ１５４０に格納されたオペレーション命令を呼び出すことで実行される（オペレーション命令はオペレーティングシステムに格納されてよい）。
【０２６８】
実現可能な実施例において、第１の端末によって用いられるセッション管理ネットワークエレメント、第２の制御プレーンネットワークエレメント、及びチップの構造は同様であり、異なる装置が異なるチップを用いてそれぞれの機能を実装してよい。
【０２６９】
プロセッサ１５１０は、セッション管理ネットワークエレメント、第２の制御プレーンネットワークエレメント、及び第１の端末のオペレーションを制御し、またプロセッサ１５１０は中央演算処理装置（ｃｅｎｔｒａｌ  ｐｒｏｃｅｓｓｉｎｇ  ｕｎｉｔ、ＣＰＵ）とも呼ばれることがある。メモリ１５４０は、リードオンリメモリとランダムアクセスメモリとを含み、命令及びデータをプロセッサ１５１０に提供してよい。メモリ１５４０の一部がさらに、不揮発性ランダムアクセスメモリ（ｎｏｎ−ｖｏｌａｔｉｌｅ  ｒａｎｄｏｍ  ａｃｃｅｓｓ  ｍｅｍｏｒｙ、ＮＶＲＡＭ）を含んでよい。例えば、適用する際に、通信インタフェース１５３０及びメモリ１５４０は、バスシステム１５２０を用いて共に連結される。データバスの他に、バスシステム１５２０はさらに、電力バス、制御バス、又はステータス信号バスなどを含んでよい。しかしながら、明確な説明のために、図１９の様々なタイプのバスがバスシステム１５２０として示されている。
【０２７０】
通信ユニットは、本装置のインタフェース回路でも通信インタフェースでもよく、別の装置から信号を受信するように構成される。例えば、装置がチップ方式で実装される場合、通信ユニットは、チップが信号を別のチップ若しくは装置から受信する又は信号を別のチップ若しくは装置に送信するのに用いられるインタフェース回路又は通信インタフェースである。
【０２７１】
本発明の前述の実施形態で開示された方法は、プロセッサ１５１０に適用されても、プロセッサ１５１０によって実施されてもよい。プロセッサ１５１０は、集積回路チップでよく、信号処理機能を有する。実装プロセスにおいて、前述の方法の各段階が、プロセッサ１５１０のハードウェア集積論理回路を用いて、又はソフトウェアの形態の命令を用いて実装され得る。プロセッサ１５１０は、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）若しくは別のプログラム可能型論理デバイス、ディスクリートゲート若しくはトランジスタ論理デバイス、又はディスクリートハードウェアコンポーネントでもよい。プロセッサ１５１０は、本発明の実施形態で開示される方法、段階、及び論理ブロック図を実施しても実行してもよい。汎用プロセッサはマイクロプロセッサでもよく、プロセッサは任意の従来型のプロセッサなどでもよい。本発明の実施形態を参照して開示された方法の各段階が、ハードウェア復号プロセッサを用いて直接的に実行されて実現されてもよく、復号プロセッサのハードウェアとソフトウェアモジュールとの組み合わせを用いて実行されて実現されてもよい。ランダムアクセスメモリ、フラッシュメモリ、リードオンリメモリ、プログラム可能型リードオンリメモリ、電気的消去可能プログラム可能型メモリ、又はレジスタなどの、当技術分野の成熟した記憶媒体に、ソフトウェアモジュールが配置されてよい。記憶媒体はメモリ１５４０に配置され、プロセッサ１５１０はメモリ１５４０内の情報を読み出し、プロセッサのハードウェアと組み合わせて、前述の方法の各段階を実現する。
【０２７２】
実現可能な実施例において、通信インタフェース１５３０は、図７〜図１７に示す実施形態におけるセッション管理ネットワークエレメント、アクセスデバイス、及びユーザプレーンネットワークエレメントの受信段階及び送信段階を行うように構成される。プロセッサ１５１０は、図７〜図１７に示す実施形態のセッション管理ネットワークエレメント、アクセスデバイス、及びユーザプレーンネットワークエレメントにおける処理段階を行うように構成される。
【０２７３】
前述の実施形態において、メモリに格納されてプロセッサにより実行される命令は、コンピュータプログラム製品の形態で実装されてよい。コンピュータプログラム製品は、予めメモリに書き込まれてもよく、ソフトウェアの形態でダウンロードされてメモリにインストールされてもよい。
【０２７４】
コンピュータプログラム製品は、１つ又は複数のコンピュータ命令を含む。コンピュータプログラム命令がコンピュータにロードされて実行されると、本願の実施形態による手順又は機能が、全て又は部分的に作り出される。コンピュータは、汎用コンピュータ、専用コンピュータ、コンピュータネットワーク、又は他のプログラム可能型装置でもよい。コンピュータ命令は、コンピュータ可読記憶媒体に格納されてもよく、あるコンピュータ可読記憶媒体から別のコンピュータ可読記憶媒体に伝送されてもよい。例えば、コンピュータ命令は、あるウェブサイト、コンピュータ、サーバ、又はデータセンタから、別のウェブサイト、コンピュータ、サーバ、又はデータセンタに、有線（例えば、同軸ケーブル、光ファイバ、又はデジタル加入者線（ＤＳＬ））方式、又は無線（例えば、赤外線、電波、又はマイクロ波など）方式で伝送されてよい。コンピュータ記憶媒体は、コンピュータがアクセス可能な任意の使用可能な媒体、つまり、サーバなどのデータ記憶装置でも、１つ又は複数の使用可能な媒体を統合したデータセンタでもよい。使用可能な媒体は、磁気媒体（例えば、フロッピーディスク、ハードディスク、又は磁気テープ）、光媒体（例えば、ＤＶＤ）、又は半導体媒体（例えば、ソリッドステートドライブ（ｓｏｌｉｄ  ｓｔａｔｅ  ｄｉｓｋ、ＳＳＤ））などでもよい。
【０２７５】
本願の一実施形態がさらに、コンピュータ可読記憶媒体を提供する。前述の実施形態で説明された方法は、ソフトウェア、ハードウェア、ファームウェア、又はこれらの任意の組み合わせを用いて、全て又は部分的に実現されてよい。本方法がソフトウェアで実現される場合、１つ又は複数の命令として働く機能又はコードは、コンピュータ可読媒体に格納されても伝送されてもよい。コンピュータ可読媒体は、コンピュータ記憶媒体と通信媒体とを含んでよく、さらに、コンピュータプログラムをある場所から別の場所に移動させることができる任意の媒体を含んでよい。記憶媒体は、コンピュータがアクセスできる任意の対象の媒体であってよい。
【０２７６】
実現可能な設計例において、コンピュータ可読媒体は、ＲＡＭ、ＲＯＭ、ＥＥＰＲＯＭ、ＣＤ−ＲＯＭ又は別の光ディスク記憶装置、磁気ディスク記憶装置又は別の磁気記憶装置を含んでよく、あるいはコンピュータ可読媒体は、命令又はデータ構造体の形態で格納される必要なプログラムコードを保持するのに用いられ、コンピュータ可読媒体はコンピュータによりアクセスされてよい。さらに、あらゆる接続が、適宜コンピュータ可読媒体と呼ばれる。例えば、同軸ケーブル、光ファイバケーブル、ツイストペア、デジタル加入者線（ＤＳＬ）、又は無線技術（赤外線、電波、マイクロ波など）を用いて、ウェブサイト、サーバ、又は別のリモートソースからソフトウェアを伝送する場合、同軸ケーブル、光ファイバケーブル、ツイストペア、ＤＳＬ、又は無線技術（赤外線、無線、及びマイクロ波など）は、媒体の定義に含まれる。本明細書で用いられる磁気ディスク及び光ディスクには、コンパクトディスク（ＣＤ）、レーザディスク、光ディスク、デジタル多用途ディスク（ＤＶＤ）、フロッピーディスク、及びブルーレイ（登録商標）ディスクが含まれる。マジックディスクは一般にデータを磁気的に再現し、光ディスクはレーザを用いてデータを光学的に再現する。前述の媒体の組み合わせも、コンピュータ可読媒体の範囲に含まれるはずである。
【０２７７】
本願の一実施形態がさらに、コンピュータプログラム製品を提供する。前述の実施形態で説明された方法は、ソフトウェア、ハードウェア、ファームウェア、又はこれらの任意の組み合わせを用いて、全て又は部分的に実現されてよい。本方法がソフトウェアで実現される場合、本方法は、コンピュータプログラム製品の形態で全て又は部分的に実現されてもよい。コンピュータプログラム製品は、１つ又は複数のコンピュータ命令を含む。前述のコンピュータプログラム命令がコンピュータにロードされて実行されると、前述の方法の実施形態で説明された手順又は機能が、全て又は部分的に作り出される。コンピュータは、汎用コンピュータ、専用コンピュータ、コンピュータネットワーク、基地局、端末、又は別のプログラム可能型装置でもよい。
【０２７８】
本発明の目的、技術的解決手段、及び利点はさらに、前述の具体的な実施形態に詳細に説明されている。前述の説明は、単なる本発明の具体的な実施形態であり、本発明の保護範囲を限定する意図はないことを理解されたい。本発明の趣旨及び原理の範囲内でなされた、あらゆる変更例、均等な置き換え、又は改善例は、本発明の保護範囲に含まれることになる。
【図１】
2021517376.tif 000007
【図２】
2021517376.tif 000008
【図３】
2021517376.tif 000009
【図４】
2021517376.tif 000010
【図５】
2021517376.tif 000011
【図６】
2021517376.tif 000012
【図７】
2021517376.tif 000013
【図８】
2021517376.tif 000014
【図９】
2021517376.tif 000015
【図１０】
2021517376.tif 000016
【図１１Ａ】
2021517376.tif 000017
【図１１Ｂ】
2021517376.tif 000018
【図１２】
2021517376.tif 000019
【図１３】
2021517376.tif 000020
【図１４】
2021517376.tif 000021
【図１５】
2021517376.tif 000022
【図１６】
2021517376.tif 000023
【図１７】
2021517376.tif 000024
【図１８】
2021517376.tif 000025
【図１９】
2021517376.tif 000026
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
伝送方法であって、
セッション管理ネットワークエレメントがトランスポートネットワーク機能リスト情報を取得する段階であって、前記トランスポートネットワーク機能リスト情報は、トランスポートネットワークが高信頼性伝送をサポートするかどうかを示す、段階と、
前記セッション管理ネットワークエレメントが前記トランスポートネットワーク機能リスト情報に基づき、前記トランスポートネットワークにおいてユーザプレーンネットワークエレメントを選択する段階と、
前記セッション管理ネットワークエレメントが、アクセスデバイスと前記ユーザプレーンネットワークエレメントとの間の、端末のユーザプレーン接続を、前記トランスポートネットワーク機能リスト情報に基づいて管理する段階であって、前記ユーザプレーン接続は、前記端末のサービスフローパケットを伝送するのに用いることができる、段階と
を含む伝送方法。
【請求項２】
セッション管理ネットワークエレメントがトランスポートネットワーク機能リスト情報を取得する前記段階は、
前記セッション管理ネットワークエレメントに設定された前記トランスポートネットワーク機能リスト情報を取得する段階を有する、請求項１に記載の伝送方法。
【請求項３】
セッション管理ネットワークエレメントがトランスポートネットワーク機能リスト情報を取得する前記段階は、
前記セッション管理ネットワークエレメントが前記トランスポートネットワーク機能リスト情報を前記ユーザプレーンネットワークエレメントから取得する段階を有する、請求項１に記載の伝送方法。
【請求項４】
前記セッション管理ネットワークエレメントが、前記アクセスデバイスと前記ユーザプレーンネットワークエレメントとの間の、端末のユーザプレーン接続を、前記トランスポートネットワーク機能リスト情報に基づいて管理する段階は、
前記ユーザプレーン接続として機能する１つのＮ３トンネルを、前記アクセスデバイスと前記ユーザプレーンネットワークエレメントとの間に確立する段階であって、前記トランスポートネットワーク機能リスト情報は、前記トランスポートネットワークが前記高信頼性伝送をサポートすることを示す、段階を有する、請求項１から３のいずれか一項に記載の伝送方法。
【請求項５】
前記伝送方法はさらに、
前記セッション管理ネットワークエレメントが前記端末の位置情報を取得する段階を含み、
前記ユーザプレーンネットワークエレメントはさらに、前記端末の前記位置情報に基づいて、前記セッション管理ネットワークエレメントにより選択され、前記ユーザプレーンネットワークエレメントは前記トランスポートネットワークの前記高信頼性伝送をサポートする、請求項４に記載の伝送方法。
【請求項６】
前記高信頼性伝送は、トランスポート層冗長伝送を用いて実施される、請求項４又は５に記載の伝送方法。
【請求項７】
前記トランスポートネットワークは、前記アクセスデバイスと前記ユーザプレーンネットワークエレメントとの間に、２つの独立した伝送経路を有する、請求項４から６のいずれか一項に記載の伝送方法。
【請求項８】
前記２つの独立した伝送経路のそれぞれは、少なくとも１つのルータ又は少なくとも１つのスイッチを接続することにより、前記アクセスデバイスと前記ユーザプレーンネットワークエレメントの間に形成される、請求項７に記載の伝送方法。
【請求項９】
前記伝送方法はさらに、
前記セッション管理ネットワークエレメントが、前記アクセスデバイスのプロトコル機能指示情報と前記ユーザプレーンネットワークエレメントのプロトコル機能指示情報とを取得する段階であって、前記アクセスデバイスの前記プロトコル機能指示情報は、前記アクセスデバイスが汎用パケット無線サービスのトンネリングプロトコル−ユーザプレーン、ＧＴＰ−Ｕ、プロトコル拡張をサポートするかどうかを示し、また前記ユーザプレーンネットワークエレメントの前記プロトコル機能指示情報は、前記ユーザプレーンネットワークエレメントが前記ＧＴＰ−Ｕプロトコル拡張をサポートするかどうかを示す、段階を含み、
前記セッション管理ネットワークエレメントが、前記アクセスデバイスと前記ユーザプレーンネットワークエレメントとの間の、端末のユーザプレーン接続を、前記トランスポートネットワーク機能リスト情報に基づいて管理する前記段階は具体的には、
前記セッション管理ネットワークエレメントが、前記アクセスデバイスの前記プロトコル機能指示情報と、前記ユーザプレーンネットワークエレメントの前記プロトコル機能指示情報と、前記トランスポートネットワーク機能リスト情報とに基づいて、前記ユーザプレーン接続を管理する段階を有する、請求項１から３のいずれか一項に記載の伝送方法。
【請求項１０】
前記セッション管理ネットワークエレメントが、前記アクセスデバイスの前記プロトコル機能指示情報と、前記ユーザプレーンネットワークエレメントの前記プロトコル機能指示情報と、前記トランスポートネットワーク機能リスト情報とに基づいて、前記ユーザプレーン接続を管理する前記段階は、
前記アクセスデバイス及び前記ユーザプレーンネットワークエレメントが両方とも前記ＧＴＰ−Ｕプロトコル拡張をサポートする場合、前記セッション管理ネットワークエレメントが、前記アクセスデバイスと前記ユーザプレーンネットワークエレメントとの間に、前記ユーザプレーン接続として機能する少なくとも２つのＮ３トンネルを確立する段階を有する、請求項９に記載の伝送方法。
【請求項１１】
前記セッション管理ネットワークエレメントが、前記アクセスデバイスの前記プロトコル機能指示情報と、前記ユーザプレーンネットワークエレメントの前記プロトコル機能指示情報と、前記トランスポートネットワーク機能リスト情報とに基づいて、前記ユーザプレーン接続を管理する前記段階は、
前記トランスポートネットワークが前記高信頼性伝送をサポートし、且つ前記アクセスデバイス及び前記ユーザプレーンネットワークエレメントが両方とも前記ＧＴＰ−Ｕプロトコル拡張をサポートする場合、前記セッション管理ネットワークエレメントが、ポリシー情報に基づいて、前記アクセスデバイスと前記ユーザプレーンネットワークエレメントとの間に、前記ユーザプレーン接続として機能する少なくとも２つのＮ３トンネル又は１つのＮ３トンネルを確立すると決定する段階を有する、請求項９に記載の伝送方法。
【請求項１２】
前記伝送方法はさらに、
前記セッション管理ネットワークエレメントが、前記アクセスデバイス及び前記ユーザプレーンネットワークエレメントに第１の指示を送信する段階であって、前記第１の指示は、前記アクセスデバイスが前記サービスフローパケットをＧＴＰ−Ｕ層で複製することを示し、且つ前記ユーザプレーンネットワークエレメントが前記ＧＴＰ−Ｕ層で前記サービスフローパケットに対して複製検出を行うことを示す、又は前記第１の指示は、前記ユーザプレーンネットワークエレメントが前記サービスフローパケットを前記ＧＴＰ−Ｕ層で複製することを示し、且つ前記アクセスデバイスが前記ＧＴＰ−Ｕ層で前記サービスフローパケットに対して複製検出を行うことを示す、段階を含む、請求項１０又は１１に記載の伝送方法。
【請求項１３】
前記伝送方法はさらに、
前記トランスポートネットワークが前記高信頼性伝送をサポートせず、且つ前記アクセスデバイス及び前記ユーザプレーンネットワークエレメントのうちのいずれか一方又は両方が前記ＧＴＰ−Ｕプロトコル拡張をサポートしないことを、前記トランスポートネットワーク機能リスト情報が示す場合、前記セッション管理ネットワークエレメントが、前記ユーザプレーン接続の確立を拒否することを示す指示情報を前記アクセスデバイスに送信する段階を含む、請求項９に記載の伝送方法。
【請求項１４】
請求項１から１３のいずれか一項に記載の伝送方法を実行するように構成された手段を備える、伝送装置。
【請求項１５】
請求項１から１３のいずれか一項に記載の伝送方法をコンピュータに実行させるための、プログラム。
【手続補正２】
【補正対象書類名】明細書
【補正対象項目名】００４０
【補正方法】変更
【補正の内容】
【００４０】
第６態様によると、本願はチップ又はチップシステムを提供する。チップ又はチップシステムは、少なくとも１つのプロセッサと通信インタフェースとを含む。通信インタフェースと少なくとも１つのプロセッサとは、通信線を用いて相互接続される。少なくとも１つのプロセッサは、コンピュータプログラム又は命令を実行して、第１態様又は第１態様の実現可能な実施例のうちのいずれか１つで説明した伝送方法を実行するように構成される。
【手続補正３】
【補正対象書類名】明細書
【補正対象項目名】００６０
【補正方法】変更
【補正の内容】
【００６０】
第１２態様によれば、本願はチップ又はチップシステムを提供する。チップ又はチップシステムは、少なくとも１つのプロセッサと通信インタフェースとを含む。通信インタフェースと少なくとも１つのプロセッサとは、通信線を用いて相互接続される。少なくとも１つのプロセッサは、コンピュータプログラム又は命令を実行して、第７態様又は第７態様の実現可能な実施例のうちのいずれか１つで説明した伝送方法を実行するように構成される。
【手続補正４】
【補正対象書類名】明細書
【補正対象項目名】０２０９
【補正方法】変更
【補正の内容】
【０２０９】
具体的には、セッション管理ネットワークエレメントは、端末の位置情報に基づいて、端末により現在アクセスされている基地局がＲＡＮ１であると決定する。次いで、セッション管理ネットワークエレメントは、表３に示すトランスポートネットワーク機能リスト情報に基づいて、ＲＡＮ１に関連するトランスポートネットワークにはトランスポートネットワーク１及びトランスポートネットワーク３が含まれることを把握する。トランスポートネットワーク１は高信頼性伝送をサポートし、トランスポートネットワーク３は高信頼性伝送をサポートしない。この場合、セッション管理ネットワークエレメントは、Ｎ３トンネルを確立するユーザプレーンネットワークエレメントとして、トランスポートネットワーク１のＵＰＦ１を選択すると決定してよい。
【手続補正５】
【補正対象書類名】明細書
【補正対象項目名】０２２３
【補正方法】変更
【補正の内容】
【０２２３】
さらに表４を参照すると、セッション管理ネットワークエレメントにより取得されるＲＡＮプロトコル機能が、ＧＴＰ−Ｕプロトコル拡張がサポートされていないということが決定されることである。セッション管理ネットワークエレメントは、端末の位置に基づいて、端末が現在ＲＡＮ１にアクセスしていると判定する。セッション管理ネットワークエレメントは、表３に示す情報に基づいて、ＲＡＮ１と関連するトランスポートネットワークにはトランスポートネットワーク１とトランスポートネットワーク３とが含まれると判定してよい。トランスポートネットワーク１もトランスポートネットワーク３も高信頼性伝送をサポートしない。次いで、さらに、セッション管理ネットワークエレメントは、段階１０３におけるアクセスデバイスのプロトコル機能指示情報を取得する方式に基づいて、ＲＡＮ１のプロトコル機能指示情報を取得してよい。ＲＡＮ１がＧＴＰ−Ｕプロトコル拡張をサポートしないとすれば、セッション管理ネットワークエレメントは、ユーザプレーン接続の確立を拒否すると決定する。
【手続補正６】
【補正対象書類名】明細書
【補正対象項目名】０２２５
【補正方法】変更
【補正の内容】
【０２２５】
段階１０８：セッション管理ネットワークエレメントは、第１の指示をアクセスデバイスとユーザプレーンネットワークエレメントとに送信する。第１の指示は、アクセスデバイスが端末のサービスフローパケットをＧＴＰ−Ｕ層で複製し、且つ複製したサービスフローパケットをＧＴＰ−Ｕ層で削除することを示し、またユーザプレーンネットワークエレメントが端末のサービスフローパケットをＧＴＰ−Ｕ層で複製し、且つ複製したサービスフローパケットをＧＴＰ−Ｕ層で削除することを示す。
【手続補正７】
【補正対象書類名】明細書
【補正対象項目名】０２６０
【補正方法】変更
【補正の内容】
【０２６０】
例えば、エンティティ装置を用いて実装される場合、図１８に示す伝送装置の処理ユニット１０１は、図６に示すプロセッサ４１でもプロセッサ４５でもよく、通信ユニット１０２は図６に示す通信インタフェース４３でよく、記憶ユニット１０３はメモリ４２でよい。具体的には、図６において、例えば、通信デバイスはセッション管理ネットワークエレメント又はセッション管理ネットワークエレメントに適用されるチップである。この場合、通信インタフェース４３は、前述の実施形態の段階１０１を行う際に、伝送装置をサポートするように構成される。プロセッサ４１又はプロセッサ４５は、前述の実施形態の段階１０２を行う際に、伝送装置をサポートするように構成される。
【手続補正８】
【補正対象書類名】明細書
【補正対象項目名】０２７６
【補正方法】変更
【補正の内容】
【０２７６】
実現可能な設計例において、コンピュータ可読媒体は、ＲＡＭ、ＲＯＭ、ＥＥＰＲＯＭ、ＣＤ−ＲＯＭ又は別の光ディスク記憶装置、磁気ディスク記憶装置又は別の磁気記憶装置を含んでよく、あるいはコンピュータ可読媒体は、命令又はデータ構造体の形態で格納される必要なプログラムコードを保持するのに用いられ、コンピュータ可読媒体はコンピュータによりアクセスされてよい。さらに、あらゆる接続が、適宜コンピュータ可読媒体と呼ばれる。例えば、同軸ケーブル、光ファイバケーブル、ツイストペア、デジタル加入者線（ＤＳＬ）、又は無線技術（赤外線、電波、マイクロ波など）を用いて、ウェブサイト、サーバ、又は別のリモートソースからソフトウェアを伝送する場合、同軸ケーブル、光ファイバケーブル、ツイストペア、ＤＳＬ、又は無線技術（赤外線、無線、及びマイクロ波など）は、媒体の定義に含まれる。本明細書で用いられる磁気ディスク及び光ディスクには、コンパクトディスク（ＣＤ）、レーザディスク、光ディスク、デジタル多用途ディスク（ＤＶＤ）、フロッピーディスク、及びブルーレイ（登録商標）ディスクが含まれる。磁気ディスクは一般にデータを磁気的に再現し、光ディスクはレーザを用いてデータを光学的に再現する。前述の媒体の組み合わせも、コンピュータ可読媒体の範囲に含まれるはずである。
【手続補正９】
【補正対象書類名】明細書
【補正対象項目名】０２７８
【補正方法】変更
【補正の内容】
【０２７８】
本発明の目的、技術的解決手段、及び利点はさらに、前述の具体的な実施形態に詳細に説明されている。前述の説明は、単なる本発明の具体的な実施形態であり、本発明の保護範囲を限定する意図はないことを理解されたい。本発明の原理の範囲内でなされた、あらゆる変更例、均等な置き換え、又は改善例は、本発明の保護範囲に含まれることになる。
（項目１）
伝送方法であって、
セッション管理ネットワークエレメントがトランスポートネットワーク機能リスト情報を取得する段階であって、上記トランスポートネットワーク機能リスト情報は、トランスポートネットワークが高信頼性伝送をサポートするかどうかを示し、上記トランスポートネットワークは、アクセスデバイスとユーザプレーンネットワークエレメントとの間のネットワークである、段階と、
上記セッション管理ネットワークエレメントが、上記アクセスデバイスと上記ユーザプレーンネットワークエレメントとの間の、端末のユーザプレーン接続を、上記トランスポートネットワーク機能リスト情報に基づいて管理する段階であって、上記ユーザプレーン接続は、上記端末のサービスフローパケットを伝送するのに用いることができる、段階と
を含む方法。
（項目２）
上記方法はさらに、
上記セッション管理ネットワークエレメントが、上記アクセスデバイスのプロトコル機能指示情報と上記ユーザプレーンネットワークエレメントのプロトコル機能指示情報とを取得する段階であって、上記アクセスデバイスの上記プロトコル機能指示情報は、上記アクセスデバイスが汎用パケット無線サービスのトンネリングプロトコル−ユーザプレーンＧＴＰ−Ｕプロトコル拡張をサポートするかどうか、また上記ユーザプレーンネットワークエレメントが上記ＧＴＰ−Ｕプロトコル拡張をサポートするかどうかを示す、段階を含み、
上記セッション管理ネットワークエレメントが、上記アクセスデバイスと上記ユーザプレーンネットワークエレメントとの間の、端末のユーザプレーン接続を、上記トランスポートネットワーク機能リスト情報に基づいて管理する上記段階は具体的には、
上記セッション管理ネットワークエレメントが、上記アクセスデバイスの上記プロトコル機能指示情報と、上記ユーザプレーンネットワークエレメントの上記プロトコル機能指示情報と、上記トランスポートネットワーク機能リスト情報とに基づいて、上記ユーザプレーン接続を管理する段階を有する、項目１に記載の方法。
（項目３）
上記セッション管理ネットワークエレメントが、上記ユーザプレーンネットワークエレメントのプロトコル機能指示情報を取得する上記段階は、
上記セッション管理ネットワークエレメントが、上記ユーザプレーンネットワークエレメントの上記プロトコル機能指示情報を上記ユーザプレーンネットワークエレメントから取得する段階、又は、
上記セッション管理ネットワークエレメントが、上記ユーザプレーンネットワークエレメントの上記プロトコル機能指示情報をネットワークレポジトリ機能ＮＲＦから取得する段階
を有する、項目２に記載の方法。
（項目４）
上記セッション管理ネットワークエレメントが、上記アクセスデバイスの上記プロトコル機能指示情報と、上記ユーザプレーンネットワークエレメントの上記プロトコル機能指示情報と、上記トランスポートネットワーク機能リスト情報とに基づいて、上記ユーザプレーン接続を管理する上記段階は、
上記アクセスデバイス及び上記ユーザプレーンネットワークエレメントが両方とも上記ＧＴＰ−Ｕプロトコル拡張をサポートする場合、上記セッション管理ネットワークエレメントが、上記アクセスデバイスと上記ユーザプレーンネットワークエレメントとの間に、上記ユーザプレーン接続として機能する少なくとも２つのＮ３トンネルを確立する段階を有する、項目２又は３に記載の方法。
（項目５）
上記セッション管理ネットワークエレメントが、上記アクセスデバイスの上記プロトコル機能指示情報と、上記ユーザプレーンネットワークエレメントの上記プロトコル機能指示情報と、上記トランスポートネットワーク機能リスト情報とに基づいて、上記ユーザプレーン接続を管理する上記段階は、
上記トランスポートネットワークが上記高信頼性伝送をサポートする場合、上記セッション管理ネットワークエレメントが、上記アクセスデバイスと上記ユーザプレーンネットワークエレメントとの間に、上記ユーザプレーン接続として機能する１つのＮ３トンネルを確立する段階を有する、項目２又は３に記載の方法。
（項目６）
上記セッション管理ネットワークエレメントが、上記アクセスデバイスの上記プロトコル機能指示情報と、上記ユーザプレーンネットワークエレメントの上記プロトコル機能指示情報と、上記トランスポートネットワーク機能リスト情報とに基づいて、上記ユーザプレーン接続を管理する上記段階は、
上記トランスポートネットワークが上記高信頼性伝送をサポートし、且つ上記アクセスデバイス及び上記ユーザプレーンネットワークエレメントが両方とも上記ＧＴＰ−Ｕプロトコル拡張をサポートする場合、上記セッション管理ネットワークエレメントが、ポリシー情報に基づいて、上記アクセスデバイスと上記ユーザプレーンネットワークエレメントとの間に、上記ユーザプレーン接続として機能する少なくとも２つのＮ３トンネル又は１つのＮ３トンネルを確立すると決定する段階を有する、項目２又は３に記載の方法。
（項目７）
上記方法はさらに、
上記セッション管理ネットワークエレメントが上記端末の位置情報を取得する段階と、
上記セッション管理ネットワークエレメントが、上記端末の上記位置情報と上記トランスポートネットワーク機能リスト情報とに基づいて、上記トランスポートネットワークの上記高信頼性伝送をサポートするユーザプレーンネットワークエレメントを上記トランスポートネットワークリスト情報から選択する段階と
を含む、項目１に記載の方法。
（項目８）
上記方法はさらに、
上記セッション管理ネットワークエレメントが上記アクセスデバイスのプロトコル機能指示情報を取得する段階と、
上記セッション管理ネットワークエレメントが、上記アクセスデバイスの上記プロトコル機能指示情報と上記トランスポートネットワーク機能リスト情報とに基づいて、上記ユーザプレーンネットワークエレメントを決定する段階と
を含む、項目７に記載の方法。
（項目９）
上記セッション管理ネットワークエレメントが、上記アクセスデバイスの上記プロトコル機能指示情報と上記トランスポートネットワーク機能リスト情報とに基づいて、上記ユーザプレーンネットワークエレメントを決定する上記段階は、
上記トランスポートネットワークの上記高信頼性伝送をサポートするユーザプレーンネットワークエレメントが１つもなく、且つ上記アクセスデバイスがＧＴＰ−Ｕプロトコル拡張をサポートすることを、上記トランスポートネットワーク機能リスト情報が示す場合、上記ＧＴＰ−Ｕプロトコル拡張をサポートするユーザプレーンネットワークエレメントが上記ユーザプレーンネットワークエレメントであると上記セッション管理ネットワークエレメントが決定する段階を有する、項目８に記載の方法。
（項目１０）
上記方法はさらに、
上記トランスポートネットワークが上記高信頼性伝送をサポートせず、且つ上記アクセスデバイス及び上記ユーザプレーンネットワークエレメントのうちのいずれか一方又は両方が上記ＧＴＰ−Ｕプロトコル拡張をサポートしないことを、上記トランスポートネットワーク機能リスト情報が示す場合、上記セッション管理ネットワークエレメントが、上記ユーザプレーン接続の確立を拒否することを示す指示情報を上記アクセスデバイスに送信する段階を含む、項目２、７、又は８に記載の方法。
（項目１１）
上記セッション管理ネットワークエレメントが上記アクセスデバイスのプロトコル機能指示情報を取得する上記段階は、
上記セッション管理ネットワークエレメントが、上記アクセスデバイスの上記プロトコル機能指示情報をモビリティ管理ネットワークエレメントから受信する段階、又は、
上記セッション管理ネットワークエレメントが機能取得要求メッセージを上記アクセスデバイスに送信する段階であって、上記機能取得要求メッセージは上記アクセスデバイスの上記プロトコル機能指示情報を要求する、段階、又は、
上記セッション管理ネットワークエレメントが、上記アクセスデバイスの上記プロトコル機能指示情報を上記ユーザプレーンネットワークエレメントから取得する段階
を含む、項目２から８のいずれか一項に記載の方法。
（項目１２）
セッション管理ネットワークエレメントがトランスポートネットワーク機能リスト情報を取得する上記段階は、
上記トランスポートネットワーク機能リスト情報を上記セッション管理ネットワークエレメントに事前設定する段階、又は、
上記セッション管理ネットワークエレメントが、上記トランスポートネットワーク機能リスト情報を上記ＮＲＦ又は上記ユーザプレーンネットワークエレメントから取得する段階
を有する、項目１から１１のいずれか一項に記載の方法。
（項目１３）
上記アクセスデバイス及び上記ユーザプレーンネットワークエレメントが両方とも上記ＧＴＰ−Ｕプロトコル拡張をサポートする場合、上記方法はさらに、
上記セッション管理ネットワークエレメントが、上記アクセスデバイス及び上記ユーザプレーンネットワークエレメントに第１の指示を送信する段階であって、上記第１の指示は、上記アクセスデバイスが上記サービスフローパケットをＧＴＰ−Ｕ層で複製することを示し、且つ上記ユーザプレーンネットワークエレメントが上記ＧＴＰ−Ｕ層で上記サービスフローパケットに対して複製検出を行うことを示す、又は上記第１の指示は、上記ユーザプレーンネットワークエレメントが上記サービスフローパケットを上記ＧＴＰ−Ｕ層で複製することを示し、且つ上記アクセスデバイスが上記ＧＴＰ−Ｕ層で上記サービスフローパケットに対して複製検出を行うことを示す、段階を含む、項目１から１２のいずれか一項に記載の方法。
（項目１４）
伝送装置であって、
トランスポートネットワーク機能リスト情報を取得するように構成された通信ユニットであって、上記トランスポートネットワーク機能リスト情報は、トランスポートネットワークが高信頼性伝送をサポートするかどうかを示し、上記トランスポートネットワークは、アクセスデバイスとユーザプレーンネットワークエレメントとの間のネットワークである、通信ユニットと、
上記アクセスデバイスと上記ユーザプレーンネットワークエレメントとの間の、端末のユーザプレーン接続を、上記トランスポートネットワーク機能リスト情報に基づいて管理するように構成された処理ユニットであって、上記ユーザプレーン接続は上記端末のサービスフローパケットを伝送するのに用いることができる、処理ユニットと
を備える装置。
（項目１５）
上記通信ユニットはさらに、上記アクセスデバイスのプロトコル機能指示情報と上記ユーザプレーンネットワークエレメントのプロトコル機能指示情報とを取得するように構成され、上記アクセスデバイスの上記プロトコル機能指示情報は、上記アクセスデバイスが汎用パケット無線サービスのトンネリングプロトコル−ユーザプレーンＧＴＰ−Ｕプロトコル拡張をサポートするかどうか、また上記ユーザプレーンネットワークエレメントが上記ＧＴＰ−Ｕプロトコル拡張をサポートするかどうかを示し、
上記処理ユニットは具体的には、上記アクセスデバイスの上記プロトコル機能指示情報と、上記ユーザプレーンネットワークエレメントの上記プロトコル機能指示情報と、上記トランスポートネットワーク機能リスト情報とに基づいて、上記ユーザプレーン接続を管理するように構成される、項目１４に記載の装置。
（項目１６）
上記通信ユニットはさらに、具体的には、上記ユーザプレーンネットワークエレメントの上記プロトコル機能指示情報を上記ユーザプレーンネットワークエレメントから取得するように構成されるか、又は、
上記通信ユニットはさらに、具体的には、上記ユーザプレーンネットワークエレメントの上記プロトコル機能指示情報をネットワークレポジトリ機能ＮＲＦから取得するように構成される、項目１５に記載の装置。
（項目１７）
上記アクセスデバイス及び上記ユーザプレーンネットワークエレメントが両方とも上記ＧＴＰ−Ｕプロトコル拡張をサポートする場合、上記処理ユニットは具体的には、上記アクセスデバイスと上記ユーザプレーンネットワークエレメントとの間に、上記ユーザプレーン接続として機能する少なくとも２つのＮ３トンネルを確立するように構成される、項目１５又は１６に記載の装置。
（項目１８）
上記トランスポートネットワークが上記高信頼性伝送をサポートする場合、上記処理ユニットは具体的には、上記アクセスデバイスと上記ユーザプレーンネットワークエレメントとの間に、上記ユーザプレーン接続として機能する１つのＮ３トンネルを確立するように構成される、項目１５又は１６に記載の装置。
（項目１９）
上記トランスポートネットワークが上記高信頼性伝送をサポートし、且つ上記アクセスデバイス及び上記ユーザプレーンネットワークエレメントが両方とも上記ＧＴＰ−Ｕプロトコル拡張をサポートする場合、上記処理ユニットは具体的には、ポリシー情報に基づいて、上記アクセスデバイスと上記ユーザプレーンネットワークエレメントとの間に、上記ユーザプレーン接続として機能する少なくとも２つのＮ３トンネル又は１つのＮ３トンネルを確立すると決定するように構成される、項目１５又は１６に記載の装置。
（項目２０）
上記通信ユニットはさらに、上記端末の位置情報を取得するように構成され、
上記処理ユニットはさらに、上記端末の上記位置情報と上記トランスポートネットワーク機能リスト情報とに基づいて、上記トランスポートネットワークの上記高信頼性伝送をサポートするユーザプレーンネットワークエレメントを上記トランスポートネットワークリスト情報から選択するように構成される、項目１４に記載の装置。
（項目２１）
上記通信ユニットはさらに、上記アクセスデバイスのプロトコル機能指示情報を取得するように構成され、
上記処理ユニットはさらに、上記アクセスデバイスの上記プロトコル機能指示情報と上記トランスポートネットワーク機能リスト情報とに基づいて、上記ユーザプレーンネットワークエレメントを決定するように構成される、項目２０に記載の装置。
（項目２２）
上記トランスポートネットワークの上記高信頼性伝送をサポートするユーザプレーンネットワークエレメントが１つもなく、且つ上記アクセスデバイスがＧＴＰ−Ｕプロトコル拡張をサポートすることを、上記トランスポートネットワーク機能リスト情報が示す場合、上記処理ユニットはさらに、具体的には、上記ＧＴＰ−Ｕプロトコル拡張をサポートするユーザプレーンネットワークエレメントが上記ユーザプレーンネットワークエレメントであると決定するように構成される、項目２１に記載の装置。
（項目２３）
上記トランスポートネットワークが上記高信頼性伝送をサポートせず、且つ上記アクセスデバイス及び上記ユーザプレーンネットワークエレメントのうちのいずれか一方又は両方が上記ＧＴＰ−Ｕプロトコル拡張をサポートしないことを、上記トランスポートネットワーク機能リスト情報が示す場合、上記通信ユニットはさらに、上記ユーザプレーン接続の確立を拒否することを示す指示情報を上記アクセスデバイスに送信するように構成される、項目１５、２０、又は２１に記載の装置。
（項目２４）
上記通信ユニットはさらに、具体的には、上記アクセスデバイスの上記プロトコル機能指示情報をモビリティ管理ネットワークエレメントから受信するように構成される、又は、
上記通信ユニットはさらに、具体的には、機能取得要求メッセージを上記アクセスデバイスに送信するように構成され、上記機能取得要求メッセージは上記アクセスデバイスの上記プロトコル機能指示情報を要求する、又は、
上記通信ユニットはさらに、具体的には、上記アクセスデバイスの上記プロトコル機能指示情報を上記ユーザプレーンネットワークエレメントから取得するように構成される、項目１５から２１のいずれか一項に記載の装置。
（項目２５）
上記トランスポートネットワーク機能リスト情報は上記伝送装置に事前設定される、又は、
上記通信ユニットは具体的には、上記トランスポートネットワーク機能リスト情報を上記ＮＲＦ又は上記ユーザプレーンネットワークエレメントから取得するように構成される、項目１４から２４のいずれか一項に記載の装置。
（項目２６）
上記アクセスデバイス及び上記ユーザプレーンネットワークエレメントが両方とも上記ＧＴＰ−Ｕプロトコル拡張をサポートする場合、上記通信ユニットはさらに、上記アクセスデバイス及び上記ユーザプレーンネットワークエレメントに第１の指示を送信するように構成され、上記第１の指示は、上記アクセスデバイスが上記サービスフローパケットをＧＴＰ−Ｕ層で複製することを示し、且つ上記ユーザプレーンネットワークエレメントが上記ＧＴＰ−Ｕ層で上記サービスフローパケットに対して複製検出を行うことを示す、又は上記第１の指示は、上記ユーザプレーンネットワークエレメントが上記サービスフローパケットを上記ＧＴＰ−Ｕ層で複製することを示し、且つ上記アクセスデバイスが上記ＧＴＰ−Ｕ層で上記サービスフローパケットに対して複製検出を行うことを示す、項目１４から２５のいずれか一項に記載の装置。
（項目２７）
少なくとも１つのプロセッサと通信インタフェースとを備えるチップであって、上記通信インタフェースは上記少なくとも１つのプロセッサに連結され、上記少なくとも１つのプロセッサは、コンピュータプログラム又は命令を実行して、項目１から１３のいずれか一項に記載の伝送方法を実施するように構成され、上記通信インタフェースは上記チップを除く別のモジュールと通信するように構成される、チップ。
（項目２８）
プロセッサと通信インタフェースとを備える伝送装置であって、
上記通信インタフェースは、項目１から１３のいずれか一項に記載の伝送方法におけるセッション管理ネットワークエレメントにおいてメッセージ送信／受信オペレーションを行うように構成され、上記プロセッサは、項目１から１３のいずれか一項に記載の伝送方法における上記セッション管理ネットワークエレメントにおいて処理オペレーション又は制御オペレーションを行う命令を実行する、伝送装置。
（項目２９）
コンピュータ可読記憶媒体であって、上記コンピュータ可読記憶媒体は命令を格納し、上記命令が実行されると、項目１から１３のいずれか一項に記載の伝送方法が実施される、コンピュータ可読記憶媒体。
【国際調査報告】
2021517376.tif 000027
2021517376.tif 000028
2021517376.tif 000029
2021517376.tif 000030